(57)【要約】【課題】容易に綴じ杆を開閉し係止することができる綴じ具を提供する。【解決手段】この綴じ具は、ファイルの表紙等の被固定物Ｘに固定される固定面２０と、用箋等の被綴じ物Ｙを載置する被綴じ物載置面２２とを有する、長尺状の固定部材１２と、前記固定部材１２に回動可能に支持され、前記固定部材１２の固定面２０とは異なる被綴じ物載置面２２側に輪を形成する綴じ杆１４と、前記固定部材１２に移動可能に設けられ、前記綴じ杆１４の先端近傍に係止するように形成された、操作部材１６とを備え、前記固定部材１２の被綴じ物載置面２２の近傍において、前記操作部材１６の係止部１０６と前記綴じ杆１４の先端近傍とが係止されるように形成されている。【選択図】      図２
2005066855.tif 000002
【特許請求の範囲】
【請求項１】
ファイルの表紙等の被固定物に固定される固定面と、用箋等の被綴じ物を載置する被綴じ物載置面とを有する、長尺状の固定部材と、
前記固定部材に回動可能に支持され、前記固定部材の固定面とは異なる被綴じ物載置面側に輪を形成する綴じ杆と、
前記固定部材に移動可能に設けられ、前記綴じ杆の先端近傍に係止するように形成された、操作部材とを備え、
前記固定部材の被綴じ物載置面より固定面側に入り込んだ被綴じ物載置面の近傍において、前記操作部材の係止部と前記綴じ杆の先端近傍とが係止されるように形成された、綴じ具。
【請求項２】
前記綴じ杆は、その基部において、その回転軸を固定部材に枢支させて回動自在に固定され、その先端の自由端において、係止部が形成され、
前記基部と自由端との間において被綴じ物が綴じられるように形成され、前記自由端の係止部が、綴じ杆を閉じたとき、固定部材の被綴じ物載置面より下側において、操作部材の係止部と係止されるように形成された、請求項１に記載の綴じ具。
【請求項３】
前記操作部材は、固定部材の長手方向に摺動自在に固定され、摺動してその係止部において綴じ杆の先端近傍と係止されまたは係止を解除されるように形成された、請求項１または２に記載の綴じ具。
【請求項４】
前記固定部材は、綴じ杆の回転軸が固定された側縁とは対向する側縁に案内部が形成され、
前記操作部材は、前記固定部材の長手方向において前記案内部に沿って摺動するように、綴じ杆の回転軸が固定された側縁と対向する固定部材の側縁に固定された、請求項１ないし３のいずれかに記載の綴じ具。
【請求項５】
前記操作部材の係止部は、綴じ杆の回転軸の延びる方向において凹んで形成され、
前記綴じ杆の係止部は、綴じ杆の回転軸の伸びる方向において、前記操作部材の係止部と嵌合するように突き出て形成された、請求項１ないし４のいずれかに記載の綴じ具。
【請求項６】
前記操作部材の係止部は、綴じ杆の回転軸と直交する方向において凹んで形成され、
前記綴じ杆の係止部は、綴じ杆の回転軸と直交する方向において、前記操作部材の係止部と嵌合するように突き出て形成された、請求項１ないし４のいずれかに記載の綴じ具。
【請求項７】
前記綴じ杆は、その両端に回転軸が形成されたくし部連結体と、
前記くし部連結体にその基部で連結されたくし部とを備え、
前記くし部は、くし部連結体に連結された基部と、
前記基部より上方に伸びるように形成された輪状の綴じ部と、
前記綴じ部の基部とは反対側の自由端に形成された係止部とを備え、
前記自由端が、回転軸より上方で且つ綴じ杆を綴じたとき、固定部材の被綴じ物載置面より下方近傍に位置するように形成された、請求項１ないし６のいずれかに記載の綴じ具。
【請求項８】
前記固定部材は、綴じ杆の回転軸が固定された側縁と対向する側縁に、綴じ杆の自由端を挿入する空所が形成され、
前記操作部材は、固定部材の被綴じ物載置面の近傍に形成された係止部が、前記固定部材の空所に挿入された綴じ杆の自由端の係止部に係止され且つ移動して係止を解除するように、前記固定部材の空所の上部に形成された、請求項１ないし７のいずれかに記載の綴じ具。
【請求項９】
前記固定部材は、綴じ杆の回転軸が固定された側縁と対向する側縁に、綴じ杆の自由端を挿入する空所が形成され、
前記操作部材は、固定部材の被綴じ物載置面の近傍に形成された係止部が、前記固定部材の空所に挿入された綴じ杆の自由端の係止部に係止され且つ移動して係止を解除するように、前記固定部材の空所の被綴じ物載置面より下部において形成された、請求項１ないし７のいずれかに記載の綴じ具。
【請求項１０】
固定部材の被綴じ物載置面より、綴じ杆のくし部の開き方向に向けて、案内くし部が突設され、
前記案内くし部は、綴じられた被綴じ物が抜け出ないように、その内側にかえりが設けられた、請求項１ないし９のいずれかに記載の綴じ具。
【発明の詳細な説明】
【０００１】
【発明の属する技術分野】
この発明は、綴じ具に関し、特に、ファイルに用いるリング状綴じ具に関する。
【０００２】
【従来の技術】
従来の用紙等の綴じ具として、特許第３１６０８４９号の綴じ具がある。この綴じ具は、基板に一端を回動自在に取り付けて他端は基板に対して開閉自在な自由端となしたリングを設け、そのリングの自由端が挿入し且つ脱出自在な着脱穴を基板に設けるとともに、その着脱穴の内部に挿入したリングの自由端に設けたフックに係止する爪片をフックから外して係止状態を解消せしめ、且つ元の位置に復帰するプッシュボタンを基板の端部に設置したことを特徴とするものである。
また、特許第３３８９８８１号の綴じ具がある。この綴じ具は、表紙の内面側に固定されるベースと、このベースに回転可能に支持されるとともに所定の綴じ込み位置でベースの上面側で閉ループを形成する複数の綴じ桿と、前記ベースと表紙との間に移動可能に配置されて前記綴じ桿の綴じ込み状態を解除するスライダと、このスライダの一端側に設けられた操作部を備えた綴じ具において、前記スライダに連設されるとともに前記ベースを貫通する方向に延びる起立部材を設けるとともに、当該起立部材と一部の綴じ桿に、相互に噛み合って係合可能な係止部をそれぞれ形成し、前記係止部領域の係合で綴じ桿の綴じ込み状態を維持する一方、前記スライダを移動して起立部材を移動させたときに前記綴じ桿の綴じ込み状態を解除することを特徴とするものである。
【０００３】
【特許文献１】
特許第３１６０８４９号公報
【特許文献２】
特許第３３８９８８１号公報
【０００４】
【発明が解決しようとする課題】
前者の用紙等の綴じ具は、リングの自由端が着脱穴より基板の内側にまで挿入され、ほぼ綴じ具の取り付けられる面に近い位置においてリングの自由端に設けたフックと爪片とが係止するように構成されているので、リングの回転軸たる取り付け軸からリングの自由端までの距離が長いので、リングに綴じられる被綴じ物に穿設された綴じ孔にリングの自由端が引っかかりやすく、特に、被綴じ物が多いときには、それが顕著となり、リングの開閉に支障をきたすおそれがある。また、後者の綴じ具は、起立部材は、スライダーに連設されるとともに、ベースを貫通する方向に延び、綴じ具の一部に係合する係止部が形成され、ベースの上方において起立部材の係止部と綴じ桿の係止部とが係合するように構成されており、リング綴じ桿に綴じられる被綴じ物が綴じ桿の係止部や起立部材の係止部に当たり、綴じ桿を開閉しにくいという問題を有する。
【０００５】
それゆえに、この発明の主たる目的は、容易に綴じ杆を開閉し係止することができる綴じ具を提供することである。
【０００６】
【課題を解決するための手段】
この発明の請求項１に記載の綴じ具は、ファイルの表紙等の被固定物に固定される固定面と、用箋等の被綴じ物を載置する被綴じ物載置面とを有する、長尺状の固定部材と、前記固定部材に回動可能に支持され、前記固定部材の固定面とは異なる被綴じ物載置面側に輪を形成する綴じ杆と、前記固定部材に移動可能に設けられ、前記綴じ杆の先端近傍に係止するように形成された、操作部材とを備え、前記固定部材の被綴じ物載置面より固定面側に入り込んだ被綴じ物載置面の近傍において、前記操作部材の係止部と前記綴じ杆の先端近傍とが係止されるように形成された、綴じ具である。
この発明の請求項２に記載の綴じ具は、前記綴じ杆は、その基部において、その回転軸を固定部材に枢支させて回動自在に固定され、その先端の自由端において、係止部が形成され、前記基部と自由端との間において被綴じ物が綴じられるように形成され、前記自由端の係止部が、綴じ杆を閉じたとき、固定部材の被綴じ物載置面より下側において、操作部材の係止部と係止されるように形成された、請求項１に記載の綴じ具である。
この発明の請求項３に記載の綴じ具は、前記操作部材は、固定部材の長手方向に摺動自在に固定され、摺動してその係止部において綴じ杆の先端近傍と係止されまたは係止を解除されるように形成された、請求項１または２に記載の綴じ具である。
この発明の請求項４に記載の綴じ具は、前記固定部材は、綴じ杆の回転軸が固定された側縁とは対向する側縁に案内部が形成され、前記操作部材は、前記固定部材の長手方向において前記案内部に沿って摺動するように、綴じ杆の回転軸が固定された側縁と対向する固定部材の側縁に固定された、請求項１ないし３のいずれかに記載の綴じ具である。
この発明の請求項５に記載の綴じ具は、前記操作部材の係止部は、綴じ杆の回転軸の延びる方向において凹んで形成され、前記綴じ杆の係止部は、綴じ杆の回転軸の伸びる方向において、前記操作部材の係止部と嵌合するように突き出て形成された、請求項１ないし４のいずれかに記載の綴じ具である。
この発明の請求項６に記載の綴じ具は、前記操作部材の係止部は、綴じ杆の回転軸と直交する方向において凹んで形成され、前記綴じ杆の係止部は、綴じ杆の回転軸と直交する方向において、前記操作部材の係止部と嵌合するように突き出て形成された、請求項１ないし４のいずれかに記載の綴じ具である。
この発明の請求項７に記載の綴じ具は、前記綴じ杆は、その両端に回転軸が形成されたくし部連結体と、前記くし部連結体にその基部で連結されたくし部とを備え、前記くし部は、くし部連結体に連結された基部と、前記基部より上方に伸びるように形成された輪状の綴じ部と、前記綴じ部の基部とは反対側の自由端に形成された係止部とを備え、前記自由端が、回転軸より上方で且つ綴じ杆を綴じたとき、固定部材の被綴じ物載置面より下方近傍に位置するように形成された、請求項１ないし６のいずれかに記載の綴じ具である。
この発明の請求項８に記載の綴じ具は、前記固定部材は、綴じ杆の回転軸が固定された側縁と対向する側縁に、綴じ杆の自由端を挿入する空所が形成され、前記操作部材は、固定部材の被綴じ物載置面の近傍に形成された係止部が、前記固定部材の空所に挿入された綴じ杆の自由端の係止部に係止され且つ移動して係止を解除するように、前記固定部材の空所の上部に形成された、請求項１ないし７のいずれかに記載の綴じ具である。
この発明の請求項９に記載の綴じ具は、前記固定部材は、綴じ杆の回転軸が固定された側縁と対向する側縁に、綴じ杆の自由端を挿入する空所が形成され、前記操作部材は、固定部材の被綴じ物載置面の近傍に形成された係止部が、前記固定部材の空所に挿入された綴じ杆の自由端の係止部に係止され且つ移動して係止を解除するように、前記固定部材の空所の被綴じ物載置面より下部において形成された、請求項１ないし７のいずれかに記載の綴じ具である。
この発明の請求項１０に記載の綴じ具は、固定部材の被綴じ物載置面より、綴じ杆のくし部の開き方向に向けて、案内くし部が突設され、前記案内くし部は、綴じられた被綴じ物が抜け出ないように、その内側にかえりが設けられた、請求項１ないし９のいずれかに記載の綴じ具である。
【０００７】
【発明の作用・効果】
請求項１の発明によれば、固定部材の被綴じ物載置面と近傍において、操作部材の係止部と綴じ杆の先端近傍とが係止させるように形成されているので、綴じ杆を回動可能に支持する支持部位と先端との距離が比較的短いので、綴じ杆の開閉時に被綴じ物の綴じ孔に綴じ杆の先端が当たることが少なく、綴じ杆の開閉がし易い。また、綴じ杆の先端近傍と操作部材の係止部との係止が被綴じ物に妨げられることなく係止されるので、綴じ杆の開閉が容易で、綴じ杆の係止および係止の解除を容易に行うことができる。
請求項２の発明によれば、綴じ杆の自由端の係止部が、綴じ杆を閉じたとき、固定部材の被綴じ物載置面より下側でその近傍において、操作部材の係止部と係止されるように形成されているので、綴じ杆を操作部材に係止しまたは係止を解除するときに、被綴じ物に妨げられることがない。
請求項３の発明によれば、操作部材は、固定部材の長手方向に摺動自在に固定されるように構成されているので、たとえば、Ｌ字型断面やＩ字型断面形状にする等して、全体として剛性が高く、ねじれの発生しにくいものを構成することができ、操作部材を摺動してその係止部において綴じ杆の先端近傍と係止しまたは係止の解除をすることができるように形成したとき、確実に綴じ杆の係止をすることができる。
請求項４の発明によれば、操作部材は、固定部材の長手方向において固定部材の案内部に沿って摺動するように綴じ杆の回転軸が固定された側縁と対向する固定部材の側縁に固定されるので、スムーズに操作部材を長手方向に沿って摺動させることができ、確実に綴じ杆の係止部を操作部材の係止部と係止させることができる。
請求項５の発明によれば、操作部材の係止部は、綴じ杆の回転軸の伸びる方向において凹んで形成され、綴じ杆の係止部は、綴じ杆の回転軸の伸びる方向において前記操作部材の係止部と嵌合するように突き出し形成されているので、操作部材の係止部を綴じ杆の係止部に進退させることにより、操作部材の係止部と綴じ杆の係止部とを係止させることができ、綴じ杆を回転軸を中心として開閉時において回動させたとき、確実に操作部材の係止部と綴じ杆の係止部とを係止させるとともに、綴じ杆を開く方向に力が作用しても、操作部材の係止部と綴じ杆の係止部との係止状態を確実に維持することができる。
請求項６の発明によれば、操作部材の係止部は、綴じ杆の回転軸と直交する方向において凹んで形成され、綴じ杆の係止部は、綴じ杆の回転軸と直交する方向において前記操作部材の係止部と嵌合するように突き出し形成されているので、操作部材の係止部を綴じ杆の係止部に進退させることにより、操作部材の係止部と綴じ杆の係止部とを係止させることができ、綴じ杆を回転軸を中心として開閉時において回動させたとき、確実に操作部材の係止部と綴じ杆の係止部とを係止させるとともに、綴じ杆を開く方向に力が作用しても、操作部材の係止部と綴じ杆の係止部との係止状態を確実に維持することができる。
請求項７の発明によれば、綴じ杆の自由端が回転軸より上方で且つ綴じ杆を閉じたとき、固定部材の被綴じ物載置面より下方近傍に位置するように形成されているので、綴じ杆の回転軸から綴じ杆の自由端までの距離が比較的短く、綴じ杆の先端が被綴じ物の綴じ孔に当たることなく、綴じ杆を容易に開閉することができる。また、綴じ杆の自由端において、操作部材と係止するときまたは係止を解除するとき、綴じ杆の係止部を被綴じ物に当たることなく確実に操作部材と係止させることができる。
請求項８の発明によれば、操作部材は、固定部材の被綴じ物載置面の近傍に形成された係止部が前記固定部材の空所に挿入された綴じ杆の自由端の係止部を係止し、且つ移動して係止を解除するように前記固定部材の空所の上部に形成されているので、綴じ杆の回転軸から綴じ杆の先端までの距離が比較的短いので、綴じ杆の先端が綴じ杆の開閉時に被綴じ物の綴じ孔に当たることが少なく、綴じ杆の係止部を操作部材の係止部と係止するとき、綴じ杆の先端が被綴じ物の綴じ孔に当たって、係止するときに障害となることはない。
請求項９の発明によれば、操作部材は、固定部材の被綴じ物載置面の近傍に形成された係止部が前記固定部材の空所に挿入された綴じ杆の自由端の係止部を係止し、且つ移動して係止部をするように前記固定部材の空所の被綴じ物載置面より下部において形成されているので、綴じ杆の回転軸から綴じ杆の先端までの距離が比較的短いので、綴じ杆の先端が綴じ杆の開閉時に被綴じ物の綴じ孔に当たることが少なく、綴じ杆の係止部を操作部材の係止部と係止するとき、綴じ杆の先端が被綴じ物の綴じ孔に当たって、係止するときに障害となることはない。
請求項１０の発明によれば、固定部材の被綴じ物載置面より、綴じ杆のくし部の開き方向に向けて、案内くし部が突設され、前記案内くし部は、綴じられた被綴じ物が抜け出ないように、その内側にかえりが設けられているので、案内くし部を綴じ孔に貫挿させて綴じられた被綴じ物は、案内くし部より抜け出にくくなる。
【０００８】
この発明の上述の目的、その他の目的、特徴および利点は、図面を参照して行なう以下の発明の実施の形態の詳細な説明から一層明らかとなろう。
【０００９】
この明細書においては、ファイルの高さ方向における下側、すなわちファイルを置いたときの手前側を手前または手前側と言い、ファイルの高さ方向における上側、すなわちファイルを置いたときの向こう側を向こうまたは向こう側と言う。
【００１０】
【発明の実施の形態】
図１は、この発明の一実施の形態である綴じ具の斜視図解図である。図２は、図１図示の綴じ具の開いた状態の正面図である。図３は、図１図示の綴じ具の開いた状態の平面図である。
【００１１】
この綴じ具１０は、ファイルの表紙などの被固定物Ｘに固定される固定面２０と用箋等の被綴じ物Ｙを載置する被綴じ物載置面２２等を有する長尺状の固定部材１２と、前記固定部材１２に回動可能に支持され、前記固定部材１２の固定面２０とは反対側の被綴じ物載置面２２に輪を形成する綴じ杆１４と、前記固定部材１２の長手方向に移動可能に設けられ、綴じ杆１４の先端近傍を係止するように形成された操作部材１６とを備える。綴じ杆１４は、弾性体１８によって回転され、操作部材１６は、弾性体１８によって移動するように構成されている。
【００１２】
この綴じ具１０は、固定部材１２の被綴じ物載置面２２より固定面２０側に入り込んだ被綴じ物載置面２２の近傍において、操作部材１６の係止部１０６と綴じ杆１４の自由端の先端近傍とが係止されるように構成されている。
綴じ具１０は、ファイルの表紙など被固定物Ｘの綴じ具を固定する面、この実施の形態においては、ファイル表紙の背表紙の内側面における適宜な位置に、固定部材１２の平面状の固定面２０において固定され、ファイルなどに綴じられる用箋などの被綴じ物Ｙは、その左端縁に穿設された綴じ孔に綴じ杆１４を貫挿することによって綴じられ、固定部材１２の被綴じ物載置面２２の上に被綴じ物Ｙが載置され、被綴じ物Ｙを積み重ねて利用することができるように構成されている。
【００１３】
固定部材１２は、図４ないし図７において示すように、全体が略長尺帯状で長手方向を有するように合成樹脂をもって一体成形されている。
固定部材１２の本体２４の第１の長手端縁２６（この実施の形態においては、綴じ具１０が固定されたファイル表紙のＡ面側に向く左側端縁）に、綴じ杆１４を固定する綴じ杆装填部２８が形成されている。
第１の長手端縁２６の上下両端縁には、平面状の固定面２０より被綴じ物載置面２２側に凹んで形成され、綴じ杆装填部２８を構成する綴じ杆１４の回転軸を装填する回転軸装填部３０および回転軸装填部３２が形成されている。
綴じ杆１４の回転軸装填部３０は、綴じ杆１４の回転軸を収容するために固定面２０より凹んだ断面略円形状の綴じ杆回動用凹部３０ａが形成され、回転軸装填部３０の綴じ杆回動用凹部３０ａを覆うように、回転軸装填部３０の先端より内側に向けて、綴じ杆支持凸起３０ｂが突設され、また、回転軸装填部３２は、綴じ杆１４の回転軸を収容するために固定面２０より凹んだ断面略円形状の綴じ杆回動用凹部３２ａが形成され、回転軸装填部３２の綴じ杆回動用凹部３２ａを覆うように、回転軸装填部３２の先端より内側に向けて、綴じ杆支持凸起３２ｂが突設されている。
【００１４】
綴じ杆装填部２８を構成する、回転軸装填部３０と回転軸装填部３２との間には、綴じ杆１４のくし部を構成するくし部連結体７０が装填される、綴じ杆装填部２８を構成する綴じ杆支持体３６が第１の長手端縁２６より複数突設されている。
綴じ杆装填部２８を構成する複数の綴じ杆支持体３６は、本体２４の第１の長手端縁２６より外方に向けて、それぞれの間に適宜な間隔をあけて突設されている。綴じ杆支持体３６の固定面２０側には、綴じ杆１４のくし部連結体７０を嵌装する断面略円形状の綴じ杆回動用凹部３６ａが設けられ、その外側先端近傍には、該綴じ杆回動用凹部３６ａに嵌装された綴じ杆１４のくし部連結体７０の外側面を保持するための綴じ杆支持凸起３６ｂが固定面２０側に向けて突設されている。
【００１５】
綴じ杆回動用凹部３０ａ（３２ａ）と、綴じ杆支持体３６の綴じ杆回動用凹部３６ａとは、綴じ杆１４の回転軸８２及びくし部連結体７０の断面円形状に対応した断面略円形状にそれぞれが略同一形状に形成されており、綴じ杆１４のくし部の回動に伴う移動範囲を確保するための綴じ杆回動用凹部３０ａ，綴じ杆回動用凹部３２ａおよび綴じ杆回動用凹部３６ａが穿設されて形成されている。
【００１６】
本体２４の第２の長手端縁４０（この実施の形態においては綴じ具１０が固定されたファイルの表紙のＢ面側に向く右側端縁）には、被綴じ物Ｙを綴じるとき、被綴じ物Ｙの綴じ孔に貫挿されて被綴じ物Ｙが所定の位置に固定されるように、４本のくしからなる略垂直状に立ち上がったくし部３８が形成され、第２の長手端縁４０は、操作部材１６を装填する操作部材装填部４２を形成する。
第２の長手端縁４０には、本体２４の長手方向に伸びるように、操作部材装填部４２を構成する操作部材１６の案内部が形成されている。
操作部材１６を案内する案内部は、それぞれが適宜な間隔をおいて形成された、第１の案内凸条４４と第２の案内凸条４６と第３の案内凸条４８と第４の案内凸条５０と第５の案内凸条５２と第６の案内凸条５４とを備え、更に該案内凸条の間に綴じ杆１４のくし部７２のくしの間隔に対応して第７の案内凸条６２が連続して形成されている。
【００１７】
第２の長手端縁４０の手前側に形成された第１の案内凸条４４は、断面Ｌ字型に形成され、全体が本体２４の長手方向に伸びている（図２４参照）。
固定部材１２の第１の案内凸条４４は、本体２４より垂下された第１連結部５６ａの先端に、Ｌ字型の案内凸条が突設され、該Ｌ字型の案内凸条は、第１連結部５６ａに連結された水平の介在部４４ａと、該介在部４４ａの先端に垂下された垂直の嵌装部４４ｂとからなる。
【００１８】
第２の長手端縁４０に形成された第２の案内凸条４６は、断面略Ｔ字型に形成され、全体が本体２４の長手方向に伸びている（図２５参照）。
固定部材１２の第２の案内凸条４６は、本体２４より垂下された第２連結部５６ｂの下端より水平方向に外方に向けて突き出し設けられた水平の介在部４６ａと、該介在部４６ａの外側先端において垂直方向に連結された水平の嵌装部４６ｂとからなる。
【００１９】
第２の長手端縁４０の取付孔２４ａ近傍に形成された第３の案内凸条４８は、断面略Ｉ字型に形成され、全体が本体２４の長手方向に伸びている（図２７参照）。
固定部材１２の第３の案内凸条４８は、略Ｉ字型案内凸条が本体２４の上端において外方に向けて延びて連結された水平の第３連結部５６ｃに突設され、該Ｉ字型案内凸条は、第３連結部５６ｃの外側先端において垂下されたＩ字型嵌装部４８ｂを形成する。更に、嵌装部４８ｂと平行に、本体２４のくし部３８の内側縁の下部において、本体２４の下面より突設されたＩ字型嵌装部４８ｃを形成する。嵌装部４８ｃは、取付孔２４ａの孔壁を兼ねている。
【００２０】
第２の長手端縁４０のくし部３８の下部に形成された第４の案内凸条５０は、略Ｉ字型に形成され、全体が本体２４の長手方向に伸び、くし部３８の基部に続いてその下に連続して形成されている（図２８参照）。
第４の案内凸条５０は、略Ｉ字型案内凸条が本体２４の上面に形成されたくし部３８の下部において本体２４より垂下された第４連結部５６ｄに突設され、該案内凸条は、第４連結部５６ｄより下方に向けて連設された垂直の略Ｉ字型の嵌装部５０ｂを形成する。
【００２１】
第２の長手端縁４０に形成された第５の案内凸条５２は、略Ｌ字型に形成され、全体が本体２４の長手方向に伸びている（図２９参照）。
第５の案内凸条５２は、略Ｌ字型の案内凸条が本体２４の上部より垂下された第５連結部５６ｅの下端に突設され、該案内凸条は、第５連結部５６ｅの下端より水平の方向に外側に向けて突設された介在部５２ａと、該介在部５２ａの外側端縁より下方に向けて垂下された嵌装部５２ｂとからなる。
【００２２】
第２の長手端縁４０の向こう側に形成された第６の案内凸条５４は、略Ｔ字型に形成され、全体が本体２４の長手方向に伸びている（図３１参照）。
第６の案内凸条５４は、略Ｔ字型の案内凸条が本体２４の上端より垂下された第６連結部５６ｆの下端より外側に向けて突設され、該案内凸条は、第６連結部５６ｆより突設された水平の介在部５４ａと、該介在部５４ａの先端に垂直方向に突設された垂直の嵌装部５４ｂとからなる。
【００２３】
固定部材１２は、主として図２ないし図７において示すように、第２の長手端縁４０の近傍において、綴じ杆１４のくし部７２を貫挿する空所たる平面方形のくし孔５８が、長手方向に一定の間隔をあけて、複数穿設されている（図２６参照）。くし孔５８は、綴じ杆１４のくし部７２のくしの間隔に対応して形成されており、第１の案内凸条４４，第２の案内凸条４６，第３の案内凸条４８，第４の案内凸条５０，第５の案内凸条５２及び第６の案内凸条５４の向こう側に形成されるとともに、第１の案内凸条４４，第２の案内凸条４６，第３の案内凸条４８，第４の案内凸条５０，第５の案内凸条５２，第６の案内凸条５４及び第７の案内凸条６２の間にも一定の間隔をあけて連続して形成されている。
第７の案内凸条６２は、第１の案内凸条４４と略同一断面形状を備え、全体が本体２４の長手方向に伸びている（図２４参照）。
第１の案内凸条４４の下部には、操作部材１６の操作片１２０を装填する操作片装填部６０が穿設され形成されている。
第６の案内凸条５４の上面には、操作部材１６の案内凸部１０４ｃを嵌装する案内凹部５４ｃが形成されている（図４及び３１参照）。
【００２４】
綴じ杆１４は、主として図１３ないし図１９において示すように、固定部材１２の長さよりも若干短い長さを有する長尺状のくし部連結体７０と、くし部連結体７０に環状くしが適宜な間隔を置いて突設されて形成されたくし部７２とが合成樹脂をもって一体形成されている。
くし部７２は、その先端すなわち自由端に、操作部材１６と係合する係止部を備えた係合くし部７４と、前記固定部材１２のくし部３８と係合する案内くし部７６と、固定部材１２の被綴じ物載置面２２近傍にまで延びる通常くし部７８とを有し、くし部７２は、その基部８０によってくし部連結体７０に連結されている。
係合くし部７４と通常くし部７８とは、基部８０より略垂直状に延びた立ち上がり部と該立ち上がり部に続く頂部と該頂部より略垂直状に延びた垂れ下がり部とを有する。
案内くし部７６は、基部８０より略垂直状に延びた立ち上がり部と該立ち上がり部に続く頂部とを有する。
くし部７２間の間隔は、等間隔であり、くし部７２の太さ（操作部材１６の長手方向における長さ）も均一である。
くし部連結体７０の手前側端および向こう側端には、固定部材１２の長手方向に伸びる断面円形状の回転軸８２および回転軸８４がそれぞれ連設されている。係合くし部７４の先端、すなわち自由端には、回転軸８２および回転軸８４の軸芯が延びる方向に向けて、係止部８６が凹設されている。
係止部８６は、この実施の形態においては、係合くし部７４の幅方向において、綴じ杆１４のくし部連結体７０の手前側に向けて開放される断面コ字型開口凹部が形成され、その下側平面部８６ａにおいて、操作部材１６の係止部１０６と係止される。その下側平面部８６ａは、くし部７２が閉じた状態のとき水平面を形成し、その上側平面部８６ｂは、被綴じ物載置面２２より若干下方の近傍に位置するように形成され、奥に向かうに従って下がる斜面を形成している。したがって、被綴じ物載置面２２に載置された用箋等の被綴じ物Ｙが係止部８６内に入り込むことはない。
この実施の形態においては、係合くし部７４は、回転軸８２及び回転軸８４の近い位置において、２本ずつ合計４本形成されている。
【００２５】
操作部材１６は、図８ないし図１２において示すように、固定部材１２と略同じ長さを有する長手帯状に合成樹脂をもって一体成形されてなり、その本体９０は、固定部材１２と略同じ長さを有するように伸びる被固定物Ｘと接合される基礎壁９０ａと、該基礎壁９０ａの左側端縁より垂直方向に立設され、基礎壁９０ａと略同じ長さを有するように伸びる立設壁９０ｂとを有している。
操作部材１６を構成する本体９０の第１の長手端縁９２（この実施の形態においては、ファイル表紙等に固定された時のＡ面側の左側端縁）側は、固定部材１２と嵌合される端縁側であって、第１の長手端縁９２側には、本体９０の長手方向に伸びるように、操作部材１６を固定部材１２の長手方向に案内する案内部が形成されている。
案内部は、固定部材１２の第１の案内凸条４４と嵌合される第１の案内凹条９４と、固定部材１２の第２の案内凸条４６と嵌合される第２の案内凹条９６と、固定部材１２の第３の案内凸条４８と嵌合される第３の案内凹条９８と、固定部材１２の第４の案内凸条５０と嵌合される第４の案内凹条１００と、固定部材１２の第５の案内凸条５２と嵌合される第５の案内凹条１０２と、固定部材１２の第６の案内凸条５４と嵌合される第６の案内凹条１０４とを備え、更に該案内凹条の間に綴じ杆１４のくし部７２のくしの間隔に対応して第７の案内凹条１０５が連続して形成されている。
【００２６】
第１の案内凹条９４は、本体９０を構成する立設壁９０ｂの一部である第１壁９４ａと、該第１壁９４ａの上端より内側に向けて突設された水平の第２壁９４ｂによって構成されている（図２４参照）。
第２壁９４ｂは、綴じ杆１４のくし部７２のくしの間隔に対応した長さと、被綴じ物載置面２２と介在部４４ａの上面との距離分の厚みを有し、その上面と被綴じ物載置面２２とは略同一の高さになるように形成されている。
【００２７】
第２の案内凹条９６は、本体９０を構成する立設壁９０ｂの一部である第１壁９６ａと、該第１壁９６ａの上端より内側に向けて突設された水平の第２壁９６ｂと、該第２壁９６ｂの内側先端より下方に向けて垂下された垂直の第３壁９６ｃとから構成されている（図２５参照）。
第２壁９６ｂは、綴じ杆１４のくし部７２のくしの間隔に対応した長さと、被綴じ物載置面２２と嵌装部４６ｂの上面との距離分の厚みを有し、その上面と被綴じ物載置面２２とは略同一の高さになるように形成されている。
【００２８】
第３の案内凹条９８は、本体９０を構成する立設壁９０ｂの一部である第１壁９８ａを備えている（図２７参照）。この長手方向における長さは、綴じ杆１４のくし部７２のくしの間隔に対応した長さを有している。
【００２９】
第４の案内凹条１００は、本体９０を構成する立設壁９０ｂの一部である第１壁１００ａと、本体９０の上面において、前記第１壁１００ａと平行に上方に向けて突設された垂直の第２壁１００ｂから構成されている（図２８参照）。この長手方向における長さは、綴じ杆１４のくし部７２のくしの間隔に対応した長さを有している。
【００３０】
第５の案内凹条１０２は、本体９０を構成する立設壁９０ｂの一部である第１壁１０２ａと、該第１壁１０２ａの上端より内側方向に向けて突設された水平の第２壁１０２ｂとから構成されている（図２９参照）。
第１壁１０２ｂは、綴じ杆１４のくし部７２のくしの間隔に対応した長さと被綴じ物載置面２２と介在部５２ａの上面との距離分の厚みを有し、その上面と被綴じ物載置面２２とは略同一の高さになるように形成されている。
【００３１】
第６の案内凹条１０４は、本体９０を構成する立設壁９０ｂの一部である第１壁１０４ａと、該第１壁１０４ａの上端より内側に向けて突設された水平の第２壁１０４ｂと、該第２壁１０４ｂの内側端より下方に向けて垂下された垂直の案内凸部１０４ｃとから構成されている（図３１参照）。
第２壁１０４ｂは、綴じ杆１４のくし部７２のくしの間隔に対応した長さと被綴じ物載置面２２と介在部５４ａの上面との距離分の厚みを有し、その上面と被綴じ物載置面２２とは略同一の高さになるように形成されている。
【００３２】
操作部材１６の第１の長手端縁９２の長手方向において、向こう側端縁近傍および手前側端縁近傍に、綴じ杆１４の係合くし部７４と係合する係止部１０６が形成されている。
係止部１０６は、操作部材１６の手前側端縁近傍の第５の案内凹条１０２の第２壁１０２ｂに形成された第１係止部１０８および第２係止部１１０と、操作部材１６の向こう側端縁近傍の第５の案内凹条１０２の第２壁１０２ｂに形成された第３係止部１１２および第４係止部１１４とにより構成されている。
第１係止部１０８は、第２壁１０２ｂにくちばし状凸部１０８ａが突き出し設けられ、第２係止部１１０は、第２壁１０２ｂにくちばし状凸部１１０ａが突き出し設けられ、第３係止部１１２は、第２壁１０２ｂにくちばし状凸部１１２ａが突き出し設けられ、第４係止部１１４は、第２壁１０２ｂにくちばし状凸部１１４ａが突き出し設けられている。
そして、くちばし状凸部１０８ａ、くちばし状凸部１１０ａ、くちばし状凸部１１２ａ及びくちばし状凸部１１４ａの先端より向こう側の外側には、綴じ杆１４の係合くし部７４の先端を貫挿するための空所たるくし孔１２２が穿設されている。
くちばし状凸部１０８ａ、くちばし状凸部１１０ａ、くちばし状凸部１１２ａ及びくちばし状凸部１１４ａは、その基部が第２壁１０２ｂと略同一の厚みを備え、その先端部が細く尖っており、その上面は、係合くし部７４の下側平面部８６ａと接合し、係合くし部７４を案内するために先端に向かうに従って下がる斜面が形成され、その下面は、第２壁１０２ｂの下面と続いた平面状に形成され、綴じ杆１４の係合くし部７４を構成する開口凹部の下側の平面と係合するように構成されている。
すなわち、綴じ杆１４の係合くし部７４の係止部８６を構成する開口凹部にくちばし状凸部１０８ａ、くちばし状凸部１１０ａ、くちばし状凸部１１２ａ及びくちばし状凸部１１４ａが嵌装され、それらの下面と綴じ杆１４の係合くし部７４を構成する開口凹部の下側平面部８６ａと係合し、綴じ杆１４が操作部材１６に係止され、綴じ杆の閉じた状態が維持される。
【００３３】
操作部材１６の第７の案内凹条１０５は、第１の案内凹条９４と略同一断面形状を備え、全体が本体９０の長手方向に伸びている（図２４参照）。
そして、操作部材１６は、第１の長手端縁９２の長手方向において、綴じ杆１４のくし部７２を貫挿する平面方形の空所たるくし孔１２２が長手方向に一定の間隔をあけて、複数穿設されている（図２６参照）。くし孔１２２は、綴じ杆１４のくし部７２のくしの間隔に対応して形成されており、第１の案内凹条９４，第２の案内凹条９６，第３の案内凹条９８，第４の案内凹条１００，第５の案内凹条１０２及び第６の案内凹条１０４の向こう側に形成されるとともに、第１の案内凹条９４，第２の案内凹条９６，第３の案内凹条９８，第４の案内凹条１００，第５の案内凹条１０２，第６の案内凹条１０４及び第７の案内凹条１０５の間にも一定の間隔をあけて連続して形成されている。
第６の案内凹条１０４には、固定部材１２の第６の案内凸条５４に穿設された案内凹部５４ｃと嵌合する案内凸部１０４ｃが突設されている（図８及び２７参照）。
操作部材１６の第１の長手端縁９２には、第１係止部１０８の手前側の内側に弾性体係止部１１６が形成され、また、第４係止部１１４の向こう側の内側に、弾性体係止部１１８が形成されている。
操作部材１６の手前側端縁（綴じ具をファイル表紙などに固定した場合のファイル表紙の下端縁側）には、操作部材１６を操作する操作片１２０が形成されている（図８及び２４参照）。
この実施の形態においては、第１壁９４ａ、第１壁９６ａ、第１壁９８ａ、第１壁１００ａ、第１壁１０２ａ及び第１壁１０４ａは、一連に続いた一枚の壁体（立設壁９０ｂ）として形成され、外表面からは、綴じ杆１４の係止部８６及び操作部材１６の係止部１０６が見えないように構成されている。
【００３４】
固定部材１２に装填された綴じ杆１４の開閉（この実施の形態においては開くため）をするため、および固定部材１２に装填された操作部材１６の進退（この実施の形態においては退くため）をするための弾性体１８は、図３４及び図３５において示すように、綴じ杆１４の回転軸８２に巻装される第１の弾性体１３０と、綴じ杆１４の回転軸８４に巻装される第２の弾性体１３２とから構成される。
第１の弾性体１３０は、右巻きばねで、コイル部１３０ａの一端より直線状の操作部材係止部１３０ｂが突き出し設けられ、且つコイル部１３０ａの他端より綴じ杆１４に係止されるくし係止部１３０ｃが突き出し設けられている。
第２の弾性体１３２は、左巻きばねで、第２の弾性体１３２も第１の弾性体１３０と同様に、コイル部１３２ａの一端より操作部材係止部１３２ｂが突き出し設けられ、コイル部１３２ａの他端よりくし係止部１３２ｃが突き出し設けられている。
【００３５】
綴じ杆１４は、その両端の回転軸８２および回転軸８４を、弾性体１８に貫挿し、すなわち、第１の弾性体１３０のコイル部１３０ａおよび第２の弾性体１３２のコイル部１３２ａの孔内に貫挿して、固定部材１２の綴じ杆装填部２８に装填する。回転軸８２および回転軸８４は、弾性体１８を巻装した状態において、第１の弾性体１３０より手前側及び第２の弾性体１３２より向こう側にて固定部材１２の回転軸装填部３０および回転軸装填部３２に嵌装する。
綴じ杆１４の回転軸８２は、回転軸装填部３０の綴じ杆回動用凹部３０ａに嵌装され且つ綴じ杆支持凸起３０ｂにより支持されるとともに、回転軸８４は、回転軸装填部３２の綴じ杆回動用凹部３２ａに嵌装され且つ綴じ杆支持凸起３２ｂにより支持され、綴じ杆１４は、綴じ杆回動用凹部３０ａおよび綴じ杆回動用凹部３２ａに収容された回転軸８２および回転軸８４を枢軸として回動するように、固定部材１２に固定される。
【００３６】
弾性体１８は、そのくし係止部１３０ｃおよびくし係止部１３２ｃの折れ曲がった部位を、綴じ杆１４のくし部７２の基部８０に、引っ掛けることにより係止される（図２０及び３０参照）。
而して、綴じ杆１４は、弾性体１８の弾性により綴じられる状態に付勢されて回転させられる。
【００３７】
操作部材１６は、図２０ないし図３２において示すように、固定部材１２の第２の長手端縁４０に形成された操作部材装填部４２に、固定部材１２の長手方向に摺動自在に固定される。
すなわち、固定部材１２の案内部と操作部材１６の案内部とが、摺動自在に嵌合ないし接合されている。
つまり、第１の案内凸条４４と第１の案内凹条９４とを、第２の案内凸条４６と第２の案内凹条９６とを、第３の案内凸条４８と第２の案内凹条９８とを、第４の案内凸条５０と第４の案内凹条１００とを、第５の案内凸条５２と第５の案内凹条１０２とを、第６の案内凸条５４と第６の案内凹条１０４とを、第７の案内凸条６２と第７の案内凹条１０５とをそれぞれ嵌合ないし接合させる。
【００３８】
前記固定部材１２の第１の案内凸条４４は、操作部材１６の第１の案内凹条９４によって、囲繞されるように形成されている（図２４参照）。
固定部材１２の第１の案内凸条４４を構成する、介在部４４ａと該介在部４４ａの先端に垂下された嵌装部４４ｂとを、操作部材１６の第１の案内凹条９４を構成する本体９０より上方に向けて突設された第１壁９４ａと該第１壁９４ａの上端より外方に向けて突設された第２壁９４ｂとによって囲繞される空間内に摺動自在に収容される。そして、嵌装部４４ｂの下端面と本体２４の上面とが接合し、第２壁９４ｂの下面と第１の案内凸条４４の介在部４４ａおよび嵌装部４４ｂの上面とが接するように構成されている。
【００３９】
前記固定部材１２の第２の案内凸条４６の案内凸条は、操作部材１６の第２の案内凹条９６によって、囲繞されるように形成されている（図２５参照）。
そして、第２の案内凸条４６の嵌装部４６ｂと第２連結部５６ｂとの間に形成された凹部内に第２の案内凹条９６の第３壁９６ｃが嵌合されるとともに、第２案内凸条４６（嵌装部４６ｂ）の上端と第２壁９６ｂの下面とが当接し、第１壁９６ａの内面と第２案内凸条４６（嵌装部４６ｂ）の外面とが接合し、第２案内凸条４６（嵌装部４６ｂ）の下面と操作部材１６の本体９０の上面とが接合するように構成されている。
【００４０】
第３の案内凸条４８は、第３の案内凹条９８によって囲繞される（図２７参照）。すなわち、第３の案内凸条４８のＩ字型案内凸条（嵌装部４８ｂ）の外側縁を第３の案内凹条９８の第１壁９８ａの内面に接合させるとともに、基礎壁９０ａの内側面と固定部材１２の本体２４より垂設された嵌装部４８ｃの内側端面とが接合されている。
【００４１】
第４の案内凸条５０は、第４の案内凹条１００によって囲繞される（図２８参照）。すなわち、前記第４の案内凸条５０の外側面を、第４の案内凹条１００の第１壁１００ａの内面に接合するとともに、前記第４の案内凸条５０の内面と第４の案内凹条１００の第２壁１００ｂの外側面とが接合するように構成されている。
【００４２】
第５の案内凸条５２は、第５の案内凹条１０２によって囲繞するように形成されている（図２９参照）。すなわち、第５の案内凸条５２の嵌装部５２ｂの下面が第５の案内凹条１０２の本体９０の上面と接合するとともに、嵌装部５２ｂの上面と第２壁１０２ｂの下面とが接合するように構成されている。
【００４３】
第６の案内凸条５４は、第６の案内凹条１０４によって囲繞するように形成されている（図３１参照）。そして、第６の案内凹条１０４の第２壁１０４ｂの下面と第６の案内凸条５４の嵌装部５４ｂの上面とが接合し、操作部材１６の案内凸部１０４ｃが第６の案内凸条５４の第６連結部５６ｆと嵌装部５４ｂとの間に形成された案内凹部５４ｃに嵌装するように構成されている。
【００４４】
操作部材１６は、弾性体１８の弾性力によって進退自在となるように付勢されている。
すなわち、第１の弾性体１３０の操作部材係止部１３０ｂと第２の弾性体の操作部材係止部１３２ｂとは、操作部材１６の弾性体係止部１１６および弾性体係止部１１８に係止され、操作部材１６は、その手前側端から向こう側端に向けて、すなわち操作片１２０側から長手方向の反対側の端縁側に向けて付勢されている。
【００４５】
次にこの綴じ具１０の使用方法について説明する。
操作部材１６の操作片１２０を指で手前に、すなわち固定部材１２より離れる方向に向けて引くと、綴じ杆１４のくし部７２の係止部８６は、操作部材１６の係止部１０６との係止が解除され、綴じ杆１４は、弾性体１８の弾性により開く。
被綴じ物Ｙを綴じ具１０に綴じるときは、まず、固定部材１２のくし部３８に被綴じ物Ｙの左端縁に穿設された綴じ孔を貫挿し、ファイル表紙のＢ面の裏面（内側面）に被綴じ物Ｙを載置する。
次に、開いている綴じ杆１４を閉じる方向に回転させると、くし部７２を構成する案内くし部７６は、固定部材１２のくし部３８と突き合わされ、通常くし部７８は、固定部材１２の上面に形成されたくし孔５８に貫挿される。
くし部７２を構成する係合くし部７４は、操作部材１６のくし孔１２２に貫挿され、弾性体１８の弾性により元の位置に戻った操作部材１６の係止部１０６と係止される。
すなわち、第１係止部１０８のくちばし状凸部１０８ａ、第２係止部１１０のくちばし状凸部１１０ａ、第３係止部１１２のくちばし状凸部１１２ａおよび第４係止部１１４のくちばし状凸部１１４ａと、係合くし部７４の係止部８６とが係合し、綴じ杆１４は閉じられた状態で保持される。
【００４６】
綴じ杆１４のくし部７２を構成する通常くし部７８と係合くし部７４とは略同一形状に形成され、その先端部（すなわち自由端）と回転軸８２と回転軸８４とを結ぶ線との距離は比較的短く、くし部７２の先端は、案内くし部７６を除いて固定部材１２の被綴じ物載置面２２より僅かに下位で、操作部材１６の最上面近傍に形成された第１係止部１０８、第２係止部１１０、第３係止部１１２および第４係止部１１４の下面の係止部位より下部に至る長さを有する。
このように、この綴じ杆１４のくし部７２は、回転軸８２と回転軸８４とを結ぶ線とくし部７２の先端との距離が比較的短いので、綴じ杆１４の回転半径が短くなる。そのために、くし部７２の先端は、綴じ具１０に綴じられる被綴じ物Ｙの綴じ孔に突き当たることはなく、綴じ杆１４の開閉がしやすい。
【００４７】
この発明の綴じ具は、次のように形成してもよい。
図３７は、この発明の一実施の形態である綴じ具の斜視図解図であり、図３８は、図３７図示の綴じ具の開いた状態の正面図であり、図３９は、図３７図示の綴じ具の開いた状態の平面図である。
【００４８】
この綴じ具２１０は、ファイルの表紙などの被固定物Ｘに固定される固定面２２０と用箋等の被綴じ物Ｙを載置する被綴じ物載置面２２２等を有する長尺状の固定部材２１２と、前記固定部材２１２に回動可能に支持され、前記固定部材２１２の固定面２２０とは反対側の被綴じ物載置面２２２に輪を形成する綴じ杆２１４と、前記固定部材２１２の長手方向に移動可能に設けられ、綴じ杆２１４の先端近傍を係止するように形成された操作部材２１６とを備える。綴じ杆２１４は、弾性体２１８によって回転され、操作部材２１６は、弾性体２１８によって移動するように構成されている。
【００４９】
この綴じ具２１０は、固定部材２１２の被綴じ物載置面２２２より固定面２２０側に入り込んだ被綴じ物載置面２２２の近傍において、操作部材２１６の係止部３０６と綴じ杆２１４の自由端の先端近傍とが係止されるように構成されている。
綴じ具２１０は、ファイルの表紙など被固定物Ｘの綴じ具を固定する面、この実施の形態においては、ファイル表紙の背表紙の内側面における適宜な位置に、固定部材２１２の固定面２２０において固定され、ファイルなどに綴じられる用箋などの被綴じ物Ｙは、その左端縁に穿設された綴じ孔に綴じ杆２１４を貫挿することによって綴じられ、固定部材２１２の被綴じ物載置面２２２の上に被綴じ物Ｙが載置され、被綴じ物Ｙを積み重ねて利用することができるように構成されている。
【００５０】
固定部材２１２は、図４０ないし図４３において示すように、全体が略長尺帯状で長手方向を有するように合成樹脂をもって一体成形されている。
固定部材２１２の本体２２４の第１の長手端縁２２６（この実施の形態においては、綴じ具２１０が固定されたファイル表紙のＡ面側に向く左側端縁）に、綴じ杆２１４を固定する綴じ杆装填部２２８が形成されている。
第１の長手端縁２２６の上下両端縁には、平面状の固定面２２０より被綴じ物載置面２２２側に凹んで形成され、綴じ杆装填部２２８を構成する綴じ杆２１４の回転軸を装填する回転軸装填部２３０および回転軸装填部２３２が形成されている。
綴じ杆２１４の回転軸装填部２３０は、綴じ杆２１４の回転軸を収容するために固定面２２０より凹んだ断面略円形状の綴じ杆回動用凹部２３０ａが形成され、回転軸装填部２３０の綴じ杆回動用凹部２３０ａを覆うように、回転軸装填部２３０の先端より内側に向けて、綴じ杆支持凸起２３０ｂが突設され、また、回転軸装填部２３２は、綴じ杆２１４の回転軸を収容するために固定面２２０より凹んだ断面略円形状の綴じ杆回動用凹部２３２ａが形成され、回転軸装填部２３２の綴じ杆回動用凹部２３２ａを覆うように、回転軸装填部２３２の先端より内側に向けて、綴じ杆支持凸起２３２ｂが突設されている。
【００５１】
綴じ杆装填部２２８を構成する、回転軸装填部２３０と回転軸装填部２３２との間には、綴じ杆２１４のくし部を構成するくし部連結体２７０が装填される、綴じ杆装填部２２８を構成する綴じ杆支持体２３６が第１の長手端縁２２６より複数突設されている。
綴じ杆装填部２２８を構成する複数の綴じ杆支持体２３６は、本体２２４の第１の長手端縁２２６より外方に向けて、それぞれの間に適宜な間隔をあけて突設されている。綴じ杆支持体２３６の固定面２２０側には、綴じ杆２１４のくし部連結体２７０を嵌装する断面略円形状の綴じ杆回動用凹部２３６ａが設けられ、その外側先端近傍には、該綴じ杆回動用凹部２３６ａに嵌装された綴じ杆２１４のくし部連結体２７０の外側面を保持するための綴じ杆支持凸起２３６ｂが固定面２２０側に向けて突設されている。
【００５２】
綴じ杆回動用凹部２３０ａ（２３２ａ）と綴じ杆支持体２３６の綴じ杆回動用凹部２３６ａとは、綴じ杆２１４の回転軸２８２（２８４）及びくし部連結体２７０の断面円形状に対応して断面略円形状にそれぞれが略同一形状に形成されており、綴じ杆２１４のくし部２７２の回動に伴う移動範囲を確保するために、綴じ杆回動用凹部２３０ａ，綴じ杆回動用凹部２３２ａおよび綴じ杆回動用凹部２３６ａが綴じ杆２１４の回転軸２８２（２８４）の軸心の伸びる方向に伸びて穿設されて形成されている。
【００５３】
本体２２４の第２の長手端縁２４０（この実施の形態においては綴じ具２１０が固定されたファイルの表紙のＢ面側に向く右側端縁）には、被綴じ物Ｙを綴じるとき、被綴じ物Ｙの綴じ孔に貫挿されて被綴じ物Ｙが所定の位置に固定されるように、４本のくしからなる略垂直状に立ち上がったくし部２３８が形成され、第２の長手端縁２４０は、操作部材２１６を装填する操作部材装填部２４２を形成する。
第２の長手端縁２４０には、本体２２４の長手方向に伸びるように、操作部材装填部２４２を構成する操作部材２１６の案内部が形成されている。
操作部材２１６を案内する案内部は、それぞれが適宜な間隔をおいて形成された、第１の案内部２４４と第２の案内部２４６と第３の案内部２４８と第４の案内部２５０と第５の案内部２５２と第６の案内部２５４とから構成されている。
【００５４】
第２の長手端縁２４０の手前側に形成された第１の案内部２４４には、断面Ｉ字型の第１の案内凸条２４４ａが形成され、全体が本体２２４の長手方向に伸びている。（図６０参照）。
固定部材２１２の第１の案内部２４４は、本体２２４より垂下されたＩ字型の第１の案内凸条２４４ａと、該Ｉ字型の第１の案内凸条２４４ａの内側に穿設された嵌装部２４４ｂとからなる。
【００５５】
第２の長手端縁２４０に形成された第２の案内部２４６には、断面略Ｉ字型の第２の案内凸条２４６ａが形成され、全体が本体２２４の長手方向に伸びている（図６１参照）。
固定部材２１２の第２の案内部２４６は、本体２２４より垂下されたＩ字型の第２の案内凸条２４６ａと、下側先端近傍において穿設された嵌装部２４６ｂとからなる。
第２の案内凸条２４６ａの右外側には、綴じ杆２１４のくし部が収容される空所が形成されている。
【００５６】
第２の長手端縁２４０の取付孔２２４ａ近傍に形成された第３の案内部２４８には、略Ｉ字型の第３の案内凸条２４８ａが形成され、全体が本体２２４の長手方向に伸びている（図６３参照）。
第３の案内凸部２４８は、本体２２４より垂下された略Ｉ字型第３の案内凸条２４８ａと、該第３の案内凸条２４８ａと並行に垂下された取付孔２２４ａを形成する取付孔壁２４８ｂと、第３の案内凸条２４８ａの下部で取付孔壁２４８ｂの右外側に形成された装填部２４８ｃとからなる。
【００５７】
第２の長手端縁２４０に形成された第４の案内部２５０には、略Ｉ字型の第４の案内凸条２５０ａが形成され、全体が本体２２４の長手方向に伸びている（図６４参照）。
第４の案内部２５０は、本体２２４の上部より垂下された第４連結部２５６ｄの下端より水平の方向に外側に向けて突設された第４の案内凸条２５０ａと、該第４の案内凸条２５０ａの右外側及び下方において形成された装填部２５０ｂとからなる。
【００５８】
第２の長手端縁２４０に形成された第５の案内部２５２には、断面略Ｉ字型の第５の案内凸条２５２ａが形成され、全体が本体２２４の長手方向に伸びている（図６５参照）。
固定部材２１２の第５の案内部２５２は、本体２２４より垂下された略Ｉ字型第５の案内凸条２５２ａと、該Ｉ字型第５の案内凸条２５２ａの下側先端近傍において穿設された装填部２５２ｂとからなる。
【００５９】
第２の長手端縁２４０の向こう側に形成された第６の案内部２５４には、略Ｌ字型の第６の案内凸条２５４ａが形成され、全体が本体２２４の長手方向に伸びている（図６６参照）。
第６の案内部２５４は、本体２２４のより垂下された第６連結部２５６ｆの下端より外側に向けて突設された該第６の案内凸条２５４ａと、該第６の案内凸条２５４ａの上側に形成された平面状の装填部２５４ｂとからなる。
【００６０】
固定部材２１２は、第２の長手端縁２４０の近傍において、綴じ杆２１４のくし部２７２を貫挿する空所たる平面略倒コ字型のくし孔２５８が、長手方向に一定の間隔をあけて、複数穿設されている（図６１参照）。くし孔２５８は、綴じ杆２１４のくし部２７２のくしの間隔に対応して形成されており、第１の案内部２４４，第２の案内部２４６，第３の案内部２４８，第４の案内部２５０，第５の案内部２５２及び第６の案内部２５４の向こう側に形成されるとともに、第１の案内部２４４，第２の案内部２４６，第３の案内部２４８，第４の案内部２５０，第５の案内部２５２及び第６の案内部２５４の間にも一定の間隔をあけて連続して形成されている。
第１の案内部２４４の下部には、操作部材２１６の操作片３２０を装填する操作片装填部２６０が穿設され形成されている。
【００６１】
綴じ杆２１４は、図４９ないし図５５において示すように、固定部材２１２の長さよりも若干短い長さを有する長尺状のくし部連結体２７０と、くし部連結体２７０に環状くしが適宜な間隔を置いて突設されて形成されたくし部２７２とが合成樹脂をもって一体形成されている。
くし部２７２は、その先端すなわち自由端に、操作部材２１６と係合する係止部を備えた係合くし部２７４と、前記固定部材２１２のくし部２３８と係合する案内くし部２７６と、固定部材２１２の被綴じ物載置面２２２近傍にまで延びる通常くし部２７８とを有し、くし部２７２は、その基部２８０によってくし部連結体２７０に連結されている。
係合くし部２７４と通常くし部２７８とは、基部２８０より略垂直状に延びた立ち上がり部と該立ち上がり部に続く頂部と該頂部より略垂直状に延びた垂れ下がり部とを有する。
案内くし部２７６は、基部２８０より略垂直状に延びた立ち上がり部と該立ち上がり部に続く頂部とを有する。
くし部連結体２７０の手前側端および向こう側端には、固定部材２１２の長手方向に伸びる断面円形状の回転軸２８２および回転軸２８４がそれぞれ連設されている。
係合くし部２７４の先端、すなわち自由端には、回転軸２８２および回転軸２８４の軸芯が延びる方向に向けて、係止部２８６が凹設されている。
係止部２８６は、この実施の形態においては、係合くし部２７４の幅方向において、綴じ杆２１４のくし部連結体２７０の手前側に向けて開放される断面コ字型開口凹部が形成され、その下側平面部２８６ａにおいて、操作部材２１６の係止部３０６と係止される。その下側平面部２８６ａは、くし部２７２が閉じた状態のとき水平面を形成し、その上側平面部２８６ｂは、被綴じ物載置面２２２より若干下方の近傍に位置するように形成され、奥に向かうに従って下がる斜面を形成している。したがって、被綴じ物載置面２２２に載置された用箋等の被綴じ物Ｙが係止部２８６内に入り込むことはない。
この実施の形態においては、係合くし部２７４は、回転軸２８２及び回転軸２８４に近い位置において、二本ずつ合計４本形成されている。
【００６２】
操作部材２１６は、図４４ないし図４８において示すように、固定部材２１２と略同じ長さを有する長手帯状に合成樹脂をもって一体成形されてなる。
操作部材２１６を構成する本体２９０の第１の長手端縁２９２（この実施の形態においては、ファイル表紙等に固定された時のＡ面側の左側端縁）側には、本体２９０の長手方向に伸びるように、操作部材２１６を固定部材２１２の長手方向に案内する案内部が形成されている。
案内部は、固定部材２１２の第１の案内部２４４に装填される第１の案内部２９４と、固定部材２１２の第２の案内部２４６に装填される第２の案内部２９６と、固定部材２１２の第３の案内部２４８に装填される第３の案内部２９８と、固定部材２１２の第４の案内部２５０に装填される第４の案内部３００と、固定部材２１２の第５の案内部２５２に装填される第５の案内部３０２と、固定部材２１２の第６の案内部２５４に装填される第６の案内部３０４とにより構成されている。
【００６３】
第１の案内部２９４は、本体２９０が操作部材２１６を案内する第１の案内部２９４としての機能を果たすように構成されている（図６０参照）。その長手方向における長さは、綴じ杆２１４のくし部２７２のくしの間隔に対応した長さを有している。
【００６４】
第２の案内部２９６は、本体２９０が操作部材２１６を案内する第２の案内部２９６としての機能を果たすように構成されている（図６１参照）。その長手方向における長さは、綴じ杆２１４のくし部２７２のくしの間隔に対応した長さを有している。
【００６５】
第３の案内部２９８は、本体２９０が操作部材２１６を案内する第３の案内部２９８としての機能を果たすとともに、本体２９０の上面に突設された凸部２９８ａが操作部材２１６を案内するように構成されている（図６３参照）。その長手方向における長さは、綴じ杆２１４のくし部２７２のくしの間隔に対応した長さを有している。
【００６６】
第４の案内部３００は、本体２９０の外側において垂直上方向に突設された第１壁３００ａと、第１壁３００ａの上部において、前記第１壁３００ａと水平方向に向けて突設された水平の第２壁３００ｂとから構成されている（図６４参照）。その長手方向における長さは、綴じ杆２１４のくし部２７２のくしの間隔に対応した長さを有している。
【００６７】
第５の案内部３０２は、本体２９０が操作部材２１６を案内する第５の案内部３０２としての機能を果たすように構成されている。（図６５参照）。その長手方向における長さは、綴じ杆２１４のくし部２７２のくしの間隔に対応した長さを有している。
【００６８】
第６の案内部３０４は、本体２９０の外側縁より向こう側に向けて穿設された水平の凸部３０４ａとから構成されている（図６６参照）。その長手方向における長さは、綴じ杆２１４のくし部２７２のくしの間隔に対応した長さを有している。
【００６９】
操作部材２１６の第１の長手端縁２９２の長手方向において、向こう側端縁近傍および手前側端縁近傍に、綴じ杆２１４の係合くし部２７４と係合する係止部３０６が形成されている。
係止部３０６は、操作部材２１６の手前側端縁近傍の第４の案内部３００の第２壁３００ｂに形成された第１係止部３０８および第２係止部３１０と、操作部材２１６の向こう側端縁近傍の第４の案内部３００の第２壁３００ｂに形成された第３係止部３１２および第４係止部３１４とにより構成されている。
第１係止部３０８は、第２壁３００ｂにくちばし状凸部３０８ａが突き出し設けられ、第２係止部３１０は、第２壁３００ｂにくちばし状凸部３１０ａが突き出し設けられ、第３係止部３１２は、第２壁３００ｂにくちばし状凸部３１２ａが突き出し設けられ、第４係止部３１４は、第２壁３００ｂにくちばし状凸部３１４ａが突き出し設けられている。
そして、くちばし状凸部３０８ａ、くちばし状凸部３１０ａ、くちばし状凸部３１２ａ及びくちばし状凸部３１４ａの先端より向こう側の外側には、綴じ杆２１４の係合くし部２７４の先端を貫挿するための空所たるくし孔３２２が穿設されている。
くちばし状凸部３０８ａ、くちばし状凸部３１０ａ、くちばし状凸部３１２ａ及びくちばし状凸部３１４ａは、その基部が第２壁３００ｂと略同一の厚みを備え、その先端部が細く尖っており、その下面は、係合くし部２７４の下側平面部２８６ａに接合し、係合くし部２７４を案内するために先端に向かうに従って下がる斜面が形成され、その下面は、第２壁３００ｂの下面と続いた平面状に形成され、綴じ杆２１４の係合くし部２７４を構成する開口凹部の下側の平面と係合するように構成されている。
すなわち、綴じ杆２１４の係合くし部２７４の係止部２８６を構成する開口凹部にくちばし状凸部３０８ａ、くちばし状凸部３１０ａ、くちばし状凸部３１２ａ及びくちばし状凸部３１４ａが嵌装され、それらの下面と綴じ杆２１４の係合くし部２７４を構成する開口凹部の下側平面部２８６ａと係合し、綴じ杆２１４が操作部材２１６に係止され、綴じ杆の閉じた状態が維持される。
【００７０】
操作部材２１６は、第１の長手端縁２９２の長手方向において、綴じ杆２１４のくし部２７２を貫挿する平面方形の空所たるくし孔３２２が、長手方向に一定の間隔をあけて、複数穿設されている（図６２参照）。くし穴３２２は、綴じ杆２１４のくし部２７２のくしの間隔に対応して形成されており、第１の案内部２９４，第２の案内部２９６，第３の案内部２９８，第４の案内部３００，第５の案内部３０２及び第６の案内部３０４の向こう側に形成されるとともに、第１の案内部２９４，第２の案内部２９６，第３の案内部２９８，第４の案内部３００，第５の案内部３０２及び第６の案内部３０４の間にも一定の間隔をあけて連続して形成されている。
操作部材２１６の第１の長手端縁２９２には、第１係止部３０８の手前側に弾性体係止部３１６が形成され、また、第４係止部３１４の向こう側に、弾性体係止部３１８が形成されている。
操作部材２１６の手前側端縁（綴じ具をファイル表紙などに固定した場合のファイル表紙の下端縁側）には、操作部材２１６を操作する操作片３２０が形成されている。
【００７１】
固定部材２１２に装填された綴じ杆２１４の開閉（この実施の形態においては開くため）をするため、および固定部材２１２に装填された操作部材２１６の進退（この実施の形態においては退くため）をするための弾性体２１８は、図６９ないし図７０において示すように、綴じ杆２１４の回転軸２８２に巻装される第１の弾性体３３０と、綴じ杆２１４の回転軸２８４に巻装される第２の弾性体３３２とから構成される。
第１の弾性体３３０は、右巻きばねで、コイル部３３０ａの一端より直線状の操作部材係止部３３０ｂが突き出し設けられ、且つコイル部３３０ａの他端より綴じ杆２１４に係止されるくし係止部３３０ｃが突き出し設けられている。
第２の弾性体３３２は、左巻きばねで、第２の弾性体３３２も第１の弾性体３３０と同様に、コイル部３３２ａの一端より操作部材係止部３３２ｂが突き出し設けられ、コイル部３３２ａの他端よりくし係止部３３２ｃが突き出し設けられている。
【００７２】
綴じ杆２１４は、その両端の回転軸２８２および回転軸２８４を、弾性体２１８に貫挿し、すなわち、第１の弾性体３３０のコイル部３３０ａおよび第２の弾性体３３２のコイル部３３２ａの孔内に貫挿して、固定部材２１２の綴じ杆装填部２２８に装填する。回転軸２８２および回転軸２８４は、弾性体２１８を巻装した状態において、第１の弾性体３３０より手前側及び第２の弾性体３３２より向こう側にて固定部材２１２の回転軸装填部２３０および回転軸装填部２３２に嵌装する。
綴じ杆２１４の回転軸２８２は、回転軸装填部２３０の綴じ杆回動用凹部２３０ａに嵌装され且つ綴じ杆支持凸起２３０ｂにより支持されるとともに、回転軸２８４は、回転軸装填部２３２の綴じ杆回動用凹部２３２ａに嵌装され且つ綴じ杆支持凸起２３２ｂにより支持され、綴じ杆２１４は、綴じ杆回動用凹部２３０ａおよび綴じ杆回動用凹部２３２ａに収容された回転軸２８２および回転軸２８４を枢軸として回動するように、固定部材２１２に固定される。
【００７３】
弾性体２１８は、そのくし係止部３３０ｃおよびくし係止部３３２ｃの折れ曲がった部位を、綴じ杆２１４のくし部２７２の基部２８０に、引っ掛けることにより係止される。
而して、綴じ杆２１４は、弾性体２１８の弾性により綴じられる状態に付勢されて回転させられる。
【００７４】
操作部材２１６は、図６０ないし図６６において示すように、固定部材２１２の第２の長手端縁２４０に形成された操作部材装填部２４２に、固定部材２１２の長手方向に摺動自在に固定される。
すなわち、固定部材２１２の案内部と操作部材２１６の案内部とが、摺動自在に嵌合ないし接合されている。
つまり、第１の案内部２４４と第１の案内部２９４とを、第２の案内部２４６と第２の案内部２９６とを、第３の案内部２４８と第２の案内部２９８とを、第４の案内部２５０と第４の案内部３００とを、第５の案内部２５２と第５の案内部３０２とを、第６の案内部２５４と第６の案内部３０４との位置を合わせてそれぞれ装填する。
【００７５】
操作部材２１６の第１の案内部２９４は、前記固定部材２１２の第１の案内部２４４に装填されるように形成され、固定部材２１２の第１の案内部２４４の下部において摺動するように形成されている。
【００７６】
操作部材２１６の第２の案内部２９６は、前記固定部材２１２の第２の案内部２４６に、装填されるように形成され、固定部材２１２の第２の案内部２４６の下部において摺動するように形成されている。
そして、第２案内部２４６の第２の案内凸条２４６ａの下面と操作部材２１６の本体２９０の上面とが接合するように構成されている。
【００７７】
操作部材２１６の第３の案内部２９８は、前記固定部材２１２の第３の案内部２４８の案内凸条に装填されるように形成され、固定部材２１２の第３の案内部２４８の第３の案内凸条２４８ａの下部において摺動するように形成されている。
そして、本体２９０の凸部２９８ａは、第３の案内凸条２４８ａと取付孔壁２４８ｂとの間に嵌装され、摺動するように構成されている。
【００７８】
操作部材２１６の第４の案内部３００は、前記固定部材２１２の第４の案内部２５０の外側に装填されるように形成され、第１壁３００ａの内側面及び第２壁３００ｂの下面が第４の案内凸条２５０ａの下面及び上面と接合し摺動するように構成されている。
【００７９】
操作部材２１６の第５の案内部３０２は、前記固定部材２１２の第５の案内部２５２に装填されるように形成され、固定部材２１２の第５の案内部２５２の下部において摺動するように形成されている。
【００８０】
操作部材２１６の第６の案内部３０４は、前記固定部材２１２の第６の案内部２５４に装填されるように形成され、装填部２５４ｂの表面と接合し、摺動するように構成されている。
【００８１】
操作部材２１６は、弾性体２１８の弾性力によって進退自在となるように付勢されている。
すなわち、第１の弾性体３３０の操作部材係止部３３０ｂと第２の弾性体の操作部材係止部３３２ｂとは、操作部材２１６の弾性体係止部３１６および弾性体係止部３１８に係止され、操作部材２１６は、その手前側端から向こう側端に向けて、すなわち操作片３２０側から長手方向の反対側の端縁側に向けて付勢されている。
【００８２】
次にこの綴じ具２１０の使用方法について説明する。
操作部材２１６の操作片３２０を指で手前に、すなわち固定部材２１２より離れる方向に向けて引くと、綴じ杆２１４のくし部２７２の係止部２８６は、操作部材２１６の係止部３０６との係止が解除され、綴じ杆２１４は、弾性体２１８の弾性により開く。
被綴じ物Ｙを綴じ具２１０に綴じるときは、まず、固定部材２１２のくし部２３８に被綴じ物Ｙの左端縁に穿設された綴じ孔を貫挿し、ファイル表紙のＢ面の裏面（内側面）に被綴じ物Ｙを載置する。
次に、開いている綴じ杆２１４を閉じる方向に回転させると、くし部２７２を構成する案内くし部２７６は、固定部材２１２のくし部２３８と突き合わされ、通常くし部２７８は、固定部材２１２の上面に形成されたくし孔２５８に貫挿される。
くし部２７２を構成する係合くし部２７４は、操作部材２１６のくし孔３２２に貫挿され、弾性体２１８の弾性により元の位置に戻った操作部材２１６の係止部３０６と係止される。
すなわち、第１係止部３０８のくちばし状凸部３０８ａ、第２係止部３１０のくちばし状凸部３１０ａ、第３係止部３１２のくちばし状凸部３１２ａおよび第４係止部３１４のくちばし状凸部３１４ａと、係合くし部２７４の係止部２８６とが係合し、綴じ杆２１４は閉じられた状態で保持される。
【００８３】
綴じ杆２１４のくし部２７２を構成する通常くし部２７８と係合くし部２７４とは略同一形状に形成され、その先端部（すなわち自由端）と回転軸２８２と回転軸２８４とを結ぶ線との距離は比較的短く、くし部２７２の先端は、案内くし部２７６を除いて固定部材２１２の被綴じ物載置面２２２より僅かに下位で、操作部材２１６の最上面近傍に形成された第１係止部３０８、第２係止部３１０、第３係止部３１２および第４係止部３１４の下面の係止部位より下部に至る長さを有する。
このように、この綴じ杆２１４のくし部２７２は、回転軸２８２と回転軸２８４とを結ぶ線とくし部２７２の先端との距離が比較的短いので、綴じ杆２１４の回転半径が短くなる。そのために、くし部２７２の先端は、綴じ具２１０に綴じられる被綴じ物Ｙの綴じ孔に突き当たることはなく、綴じ杆２１４の開閉がしやすい。
【００８４】
この発明は、前記実施の形態に限定されるものではない。
例えば、図７２ないし図９０に示すように、変更してもよい。
図７２ないし図９０の綴じ具４１０は、図３７ないし図７１に図示された綴じ具２１０を部分的に変更した綴じ具であって、主として綴じ杆と操作部材の係止部の構成が変更されている。
図７２は、この発明の一実施の形態である綴じ具の開いた状態の正面図であり、図７３は、この発明の一実施の形態である綴じ具の開いた状態の平面図であり、図７４は、この発明の一実施の形態である綴じ具の閉じた状態の正面図である。
図７２ないし図９０において示された構成以外は、図３７ないし図７１に図示された実施の形態の綴じ具２１０の図が準用され、且つ符号も準用され、図３７ないし図７１に付された符号と同一の符号が付された部位は、ほぼ同一の構成を備える。
【００８５】
この綴じ具４１０は、固定本体４２４に形成された案内部４４４を断面略コ字型または断面略Ｌ字型に形成し、固定本体４２４に嵌合される操作部材４１６の案内部４９４を前記固定本体４２４の案内部４４４の形状に対応した断面方形に形成し、固定本体４２４の案内部４４４に嵌挿された操作部材４１６の案内部４９４が摺動して、操作部材４１６を進退するように形成されている。
固定部材４１２の案内部４４４は、図８９において示すように、操作部材４１６の案内部４９４との接合面が平面状壁面によって囲繞された略倒コ字型に形成され、また、図９０において示すように、操作部材４１６の案内部４９４との接合面が平面状壁面によって形成された略倒Ｌ字型に形成されている。
また、操作部材４１６の係止部５０６は、操作部材４１６の案内部４９４の上端で、被綴じ物載置面４２２より若干下側に位置するように、外側に向けて突き出し形成されたくちばし状凸部５０８ａにより構成されている。
さらに、綴じ杆４１４の係合くし部４７４の位置が変更されて、くし部２７２全体の中で内側に係合くし部４７４が形成され、固定部材４１２のくし孔４５８も前記係合くし部４７４の構成に併せて穿設されている。
【００８６】
なお、綴じ杆４１４のくし部２７２の数は増加もしくは減らしてもよく、例えば、Ｂ５タイプの場合には２６本のくし部をもって構成する、といったように、変更してもよい。
【００８７】
図９１は、この発明の一実施の形態である綴じ具の斜視図解図である。図９２は、図９１図示の綴じ具の開いた状態の正面図である。図９３は、図９１図示の綴じ具の開いた状態の平面図である。
【００８８】
この綴じ具６１０は、ファイルの表紙などの被固定物Ｘに固定される固定面６２０と用箋等の被綴じ物Ｙを載置する被綴じ物載置面６２２等を有する長尺状の固定部材６１２と、前記固定部材６１２に回動可能に支持され、前記固定部材６１２の固定面６２０とは反対側の被綴じ物載置面６２２に輪を形成する綴じ杆６１４と、前記固定部材６１２の長手方向に移動可能に設けられ、綴じ杆６１４の先端近傍を係止するように形成された操作部材６１６とを備える。綴じ杆６１４は、弾性体６１８によって回転され、操作部材６１６は、弾性体６１８によって移動するように構成されている。
【００８９】
この綴じ具６１０は、固定部材６１２の被綴じ物載置面６２２より固定面６２０側に入り込んだ被綴じ物載置面６２２の近傍において、操作部材６１６の係止部７０６と綴じ杆６１４の自由端の先端近傍とが係止されるように構成されている。
綴じ具６１０は、ファイルの表紙など被固定物Ｘの綴じ具を固定する面、この実施の形態においては、ファイル表紙の背表紙の内側面における適宜な位置に、固定部材６１２の平面状の固定面６２０において固定され、ファイルなどに綴じられる用箋などの被綴じ物Ｙは、その左端縁に穿設された第１綴じ孔Ｙ１及び第２綴じ孔Ｙ２に綴じ杆６１４を貫挿することによって綴じられ、固定部材６１２の被綴じ物載置面６２２の上に被綴じ物Ｙが載置され、被綴じ物Ｙを積み重ねて利用することができるように構成されている。
【００９０】
固定部材６１２は、図９４ないし図９７において示すように、全体が略長尺帯状で長手方向を有するように合成樹脂をもって一体成形されている。
固定部材６１２の本体６２４の第１の長手端縁６２６（この実施の形態においては、綴じ具６１０が固定されたファイル表紙のＡ面側に向く左側端縁）に、綴じ杆６１４を固定する綴じ杆装填部６２８が形成されている。
第１の長手端縁６２６の上下両端縁には、平面状の固定面６２０より被綴じ物載置面６２２側に凹んで形成され、綴じ杆装填部６２８を構成する綴じ杆６１４の回転軸を装填する回転軸装填部６３０および回転軸装填部６３２が形成されている。
固定部材６１２の回転軸装填部６３０は、綴じ杆６１４の回転軸を収容するために固定面６２０より凹んだ断面略円形状の綴じ杆回動用凹部６３０ａが形成され、回転軸装填部６３０の綴じ杆回動用凹部６３０ａを覆うように、回転軸装填部６３０の下部において、綴じ杆支持部６３０ｂが形成され、また、回転軸装填部６３２は、綴じ杆６１４の回転軸を収容するために固定面６２０より凹んだ断面略円形状の綴じ杆回動用凹部６３２ａが形成され、回転軸装填部６３２の綴じ杆回動用凹部６３２ａを覆うように、回転軸装填部６３２の下部において、綴じ杆支持部６３２ｂが形成されている。
綴じ杆支持部６３０ｂ及び綴じ杆支持部６３２ｂは、ファイルの表紙など被固定物Ｘの綴じ具を固定する面が平面状の固定面に形成され、被固定物Ｘに密着するように形成されている（図１１４及び１２１参照）。
【００９１】
綴じ杆装填部６２８を構成する、回転軸装填部６３０と回転軸装填部６３２との間には、綴じ杆６１４のくし部を構成するくし部連結体６７０が装填される、綴じ杆装填部６２８を構成する第１綴じ杆支持体６３６が第１の長手端縁６２６より複数突設されている。
綴じ杆装填部６２８を構成する複数の第１綴じ杆支持体６３６は、本体６２４の第１の長手端縁６２６より外方に向けて、それぞれの間に適宜な間隔をあけて突設されている。第１綴じ杆支持体６３６の下部の固定面６２０側には、綴じ杆６１４のくし部連結体６７０を嵌装する断面略円形状の綴じ杆回動用凹部６３６ａが設けられ、その外側先端近傍には、該綴じ杆回動用凹部６３６ａに嵌装された綴じ杆６１４のくし部連結体６７０の外側面を保持するための綴じ杆支持部６３６ｂが固定面６２０側に向けて突設されている。
綴じ杆支持部６３６ｂは、綴じ杆回動用凹部６３６ａから延びる内壁面と対向し、且つ、該対向する内壁面との間が下方に向かうに従って徐々に狭くなるように、傾斜する壁面を備えるとともに、前記対向する壁面との下端縁近傍及び綴じ杆支持部６３６ｂの壁面の下部近傍は徐々に外方に向けて拡開するように形成されている（図１１５参照）。
第１綴じ杆支持体６３６の下部の固定面６２０側より綴じ杆６１４のくし部連結体６７０を綴じ杆回動用凹部６３６ａに向けて嵌め込むときは、固定面６２０近傍が拡開しているので、比較的嵌め込み易く、その上部は狭隘であるため、一旦嵌め込まれた綴じ杆６１４のくし部連結体６７０が脱嵌しにくい。
【００９２】
固定部材６１２の綴じ杆６１４を三等分したときの三等分点（くし部６３８の近傍）で、綴じ杆装填部６２８を構成する第２綴じ杆支持体６３７が第１の長手端縁６２６より一対突設されている。
第２綴じ杆支持体６３７は、綴じ杆６１４を開閉するときにくし部連結体６７０が回動できるように、綴じ杆回動用凹部６３７ａが内方に向けて広く形成され、その外側先端近傍には、該綴じ杆回動用凹部６３７ａに嵌挿された綴じ杆６１４のくし部連結体６７０の外側面を保持するための綴じ杆支持凸起６３７ｂが内方に向けて突設されている。
【００９３】
綴じ杆回動用凹部６３０ａ（６３２ａ）と、第１綴じ杆支持体６３６の綴じ杆回動用凹部６３６ａ及び第２綴じ杆支持体６３７の綴じ杆回動用凹部６３７ａとは、綴じ杆６１４の回転軸６８２及びくし部連結体６７０の断面円形状に対応した断面略円形状もしくは円弧状にそれぞれが略同一形状に形成されており、綴じ杆６１４のくし部の回動に伴う移動範囲を確保するための綴じ杆回動用凹部６３０ａ，綴じ杆回動用凹部６３２ａ，綴じ杆回動用凹部６３６ａおよび綴じ杆回動用凹部６３７ａが穿設されて形成されている。
【００９４】
本体６２４の第２の長手端縁６４０（この実施の形態においては綴じ具６１０が固定されたファイルの表紙のＢ面側に向く右側端縁）には、被綴じ物Ｙを綴じるとき、被綴じ物Ｙの第１綴じ孔Ｙ１に貫挿されて被綴じ物Ｙが所定の位置に固定されるように、４本のくしからなる略垂直状に立ち上がったくし部６３８が形成され、第２の長手端縁６４０は、操作部材６１６を装填する操作部材装填部６４２を形成する。
【００９５】
くし部６３８は、図１１８，図１２６及び１２７に示すように、被綴じ物Ｙの４穴の比較的大きい第１綴じ孔Ｙ１に対応する位置に形成されているが、特にこの実施の形態においては、綴じ杆６１４を開くときに綴じられた被綴じ物Ｙがくし部６３８より抜け出ることがなく、且つ綴じ杆６１４を閉じるときに、綴じ杆６１４のくし部６７２の先端が、綴じられた被綴じ物Ｙの比較的小さい第２綴じ孔Ｙ２の近傍に突き当たって第２綴じ孔Ｙ２に挿入されないということがないように、被綴じ物Ｙを被綴じ物載置面６２２の所定の位置に位置させるように構成されている。
すなわち、くし部６７２がくし部連結体６７０を枢軸として回動するとき、手前側の係合くし部６７４，向こう側の係合くし部６７５及び通常くし部６７８の先端が描く軌跡に対応して被綴じ物Ｙの第２綴じ孔Ｙ２が位置するように、くし部６３８の内側壁面は被綴じ物載置面６２２より上方に向けて第１垂直平面壁６３８ａが形成され、該第１垂直平面壁６３８ａに続いて、逆鉤（かえり）６３８ｂが水平平面状に形成され、該第１垂直平面壁６３８ａと逆鉤（かえり）６３８ｂとは、直交するように形成されている。
逆鉤（かえり）６３８ｂの内側端縁より上方に向けて第２垂直平面壁６３８ｃが形成されている。第１垂直平面壁６３８ａ及び第２垂直平面壁６３８ｃは、固定部材６１２の長手方向に延びる中心線と略平行に形成されている。
【００９６】
図１１８及び１２６において示すように、第１垂直平面壁６３８ａの高さＨ１及び逆鉤（かえり）６３８ｂの長さ（幅）Ｗ１、すなわち、第１垂直平面壁６３８ａとその内側に形成された逆鉤（かえり）６３８ｂとの幅は、綴じ杆６１４がくし部連結体６７０を枢軸として回動するとき、くし部６７２の手前側の係合くし部６７４，向こう側の係合くし部６７５及び通常くし部６７８の先端が通る軌跡より、被綴じ物Ｙの第２綴じ孔Ｙ２の内側縁が内側に位置するように、くし部６７２の構成と関連して構成されている。
したがって、図１２６において示すように、第１垂直平面壁６３８ａは、くし部６３８に嵌挿されて綴じられた被綴じ物Ｙの第２綴じ孔Ｙ２にくし部６７２の手前側の係合くし部６７４，向こう側の係合くし部６７５及び通常くし部６７８の先端が綴じ杆６１４の回動時に出入することを妨げない高さを備え、第２垂直平面壁６３８ｃは、くし部６３８に嵌挿されて綴じられた被綴じ物Ｙの第２綴じ孔Ｙ２にくし部６７２の手前側の係合くし部６７４，向こう側の係合くし部６７５及び通常くし部６７８の先端が綴じ杆６１４の回動時に出入することを妨げない高さの位置に形成され、且つその高さを備えている。
また、逆鉤（かえり）６３８ｂが形成されているので、くし部６３８に貫挿された被綴じ物Ｙの第１綴じ孔Ｙ１周縁が、逆鉤（かえり）６３８ｂに引っ掛かり、一旦綴じられた被綴じ物Ｙが不用意にくし部６３８より抜け出ることがない。
【００９７】
第２の長手端縁６４０には、本体６２４の長手方向に伸びるように、操作部材装填部６４２を構成する操作部材６１６の案内部が形成されている。
操作部材６１６を案内する案内部は、それぞれが適宜な間隔をおいて形成された、第１の案内凸条６４４と第２の案内凸条６４６と第３の案内凸条６４８と第４の案内凸条６５０と第５の案内凸条６５２と第６の案内凸条６５４とを備え、更に該案内凸条の間に綴じ杆６１４のくし部６７２のくしの間隔に対応して第７の案内凸条６６２が連続して形成されている。
【００９８】
第２の長手端縁６４０の手前側に形成された第１の案内凸条６４４は、断面Ｌ字型に形成され、全体が本体６２４の長手方向に伸びている（図１１４参照）。固定部材６１２の第１の案内凸条６４４は、本体６２４より垂下された第１連結部６５６ａの先端に、Ｌ字型の案内凸条が突設され、該Ｌ字型の第１の案内凸条６４４は、第１連結部６５６ａに連結された水平の介在部６４４ａと、該介在部６４４ａの先端に垂下された垂直の嵌装部６４４ｂとからなる。
【００９９】
第２の長手端縁６４０に形成された第２の案内凸条６４６は、断面略倒Ｔ字型に形成され、全体が本体６２４の長手方向に伸びている（図１１５参照）。
固定部材６１２の第２の案内凸条６４６は、本体６２４より垂下された第２連結部６５６ｂの下端より水平方向に外方に向けて突き出し設けられた水平の介在部６４６ａと、該介在部６４６ａの外側先端において垂直方向に連結された水平の嵌装部６４６ｂとからなる。
【０１００】
第２の長手端縁６４０の取付孔６２４ａ近傍に形成された第３の案内凸条６４８は、断面略Ｉ字型に形成され、全体が本体６２４の長手方向に伸びている（図１１７参照）。
固定部材６１２の第３の案内凸条６４８は、略Ｉ字型案内凸条が本体６２４の上端において外方に向けて延びて連結された水平の第３連結部６５６ｃに突設され、該Ｉ字型第３の案内凸条６４８は、第３連結部６５６ｃの外側先端において垂下されたＩ字型嵌装部６４８ｂを形成する。更に、嵌挿部６４８ｂと平行に、本体６２４のくし部６３８の内側縁の下部において、本体６２４の下面より突設されたＩ字型嵌挿部６４８ｃを形成する。Ｉ字型嵌挿部６４８ｃは、取付孔６２４ａの孔壁を兼ねている。
【０１０１】
第２の長手端縁６４０のくし部６３８の下部に形成された第４の案内凸条６５０は、略Ｉ字型に形成され、全体が本体６２４の長手方向に伸び、くし部６３８の基部に続いてその下に連続して形成されている（図１１８参照）。
第４の案内凸条６５０は、略Ｉ字型案内凸条が本体６２４の上面に形成されたくし部６３８の下部において本体６２４より連設された第４連結部６５６ｄに突設され、該案内凸条は、第４連結部６５６ｄより下方に向けて連設された垂直の略Ｉ字型の嵌装部６５０ｂを形成する。
【０１０２】
第２の長手端縁６４０に形成された第５の案内凸条６５２は、略Ｌ字型に形成され、全体が本体６２４の長手方向に伸びている（図１１９参照）。
第５の案内凸条６５２は、略Ｌ字型の案内凸条が本体６２４の上部より垂下された第５連結部６５６ｅの下端に突設され、該案内凸条は、第５連結部６５６ｅの下端より水平の方向に外側に向けて突設された介在部６５２ａと、該介在部６５２ａの外側端縁より下方に向けて垂下された嵌装部６５２ｂとからなる。
【０１０３】
第２の長手端縁６４０の向こう側に形成された第６の案内凸条６５４は、略Ｔ字型に形成され、全体が本体６２４の長手方向に伸びている（図１２１参照）。第６の案内凸条６５４は、略Ｔ字型の案内凸条が本体６２４の上端より垂下された第６連結部６５６ｆの下端より外側に向けて突設され、該案内凸条は、第６連結部６５６ｆより突設された水平の介在部６５４ａと、該介在部６５４ａの先端に垂直方向に突設された垂直の嵌装部６５４ｂとからなる。
【０１０４】
固定部材６１２は、主として図９４ないし図１０２において示すように、第２の長手端縁６４０の近傍において、綴じ杆６１４のくし部６７２を貫挿する空所たる平面方形のくし孔６５８が、長手方向に一定の間隔をあけて、複数穿設されている（図１１６参照）。くし孔６５８は、綴じ杆６１４のくし部６７２のくしの間隔に対応して形成されており、第１の案内凸条６４４，第２の案内凸条６４６，第３の案内凸条６４８，第４の案内凸条６５０，第５の案内凸条６５２及び第６の案内凸条６５４の向こう側に形成されるとともに、第１の案内凸条６４４，第２の案内凸条６４６，第３の案内凸条６４８，第４の案内凸条６５０，第５の案内凸条６５２，第６の案内凸条６５４及び第７の案内凸条６６２の間にも一定の間隔をあけて連続して形成されている。
第７の案内凸条６６２は、第１の案内凸条６４４と略同一断面形状を備え、全体が本体６２４の長手方向に伸びている（図１１４参照）。
第１の案内凸条６４４の下部には、操作部材６１６の操作片７２０を装填する操作片装填部６６０が穿設され形成されている。
第６の案内凸条６５４の上面には、操作部材６１６の案内凸部７０４ｃを嵌装する案内凹部６５４ｃが形成されている（図９４及び図１２１参照）。
【０１０５】
綴じ杆６１４は、主として図１０３ないし図１０９において示すように、固定部材６１２の長さよりも若干短い長さを有する長尺状のくし部連結体６７０と、くし部連結体６７０に環状くしが適宜な間隔を置いて突設されて形成されたくし部６７２とが合成樹脂をもって一体形成されている。
くし部６７２は、その先端すなわち自由端に、操作部材６１６と係合する係止部を備えた係合くし部（手前側の係合くし部６７４及び向こう側の係合くし部６７５）と、前記固定部材６１２のくし部６３８と係合する案内くし部６７６と、固定部材６１２の被綴じ物載置面６２２近傍にまで延びる通常くし部６７８とを有し、くし部６７２は、その基部６８０によってくし部連結体６７０に連結されている。
手前側の係合くし部６７４及び向こう側の係合くし部６７５と通常くし部６７８とは、基部６８０より略垂直状に延びた立ち上がり部と該立ち上がり部に続く頂部と該頂部より略垂直状に延びた垂れ下がり部とを有する。
案内くし部６７６は、基部６８０より略垂直状に延びた立ち上がり部と該立ち上がり部に続く頂部とを有する。
くし部連結体６７０の手前側端および向こう側端には、固定部材６１２の長手方向に伸びる断面円形状の回転軸６８２および回転軸６８４がそれぞれ連設されている。
【０１０６】
手前側の係合くし部６７４の先端、すなわち自由端には、回転軸６８２および回転軸６８４の軸芯が延びる方向に向けて、係止部６８６が凹設されている。
係止部６８６は、この実施の形態においては、手前側の係合くし部６７４の幅方向において、綴じ杆６１４のくし部連結体６７０の手前側に向けて開放される断面コ字型開口凹部が形成され、その下側平面部６８６ａにおいて、操作部材６１６の係止部７０６と係止される。その下側平面部６８６ａは、くし部６７２が閉じた状態のとき水平面を形成し、その上側平面部６８６ｂは、被綴じ物載置面６２２より若干下方の近傍に位置するように形成され、奥に向かうに従って下がる斜面を形成している。したがって、被綴じ物載置面６２２に載置された用箋等の被綴じ物Ｙが係止部６８６内に入り込むことはない。
この実施の形態においては、手前側の係合くし部６７４は回転軸６８２の近い位置において、及び向こう側の係合くし部６７５は回転軸６８４の近い位置において、それぞれ２本ずつ合計４本形成されている。
【０１０７】
くし部連結体６７０は、それを三等分したときの三等分点で案内くし部６７６の近傍において、綴じ杆６１４を閉じたときに、案内くし部６７６が下方（固定面６２０側）に向けて撓むことのないように固定面６２０と同じ位置にその先端が位置する突起６７０ａが突設されている（図１２２参照）。
一方、固定部材６１２のくし部連結体６７０の突起６７０ａが装填される第２綴じ杆支持体６３７の当該部位は、図１２６において示すように、綴じ杆６１４を開閉するときにくし部連結体６７０が回動できるように、綴じ杆回動用凹部６３７ａが内方に向けて広く形成され、その外側先端近傍には、該綴じ杆回動用凹部６３７ａに嵌挿された綴じ杆６１４のくし部連結体６７０の外側面を保持するための綴じ杆支持凸起６３７ｂが内方に向けて突設されている。
【０１０８】
操作部材６１６は、図９８ないし図１０２において示すように、固定部材６１２と略同じ長さを有する長手帯状に合成樹脂をもって一体成形されてなり、その本体６９０は、固定部材６１２と略同じ長さを有するように伸びる被固定物Ｘと接合される略平面状の基礎壁６９０ａと、該基礎壁６９０ａの左側端縁より垂直方向に立設され、基礎壁６９０ａと略同じ長さを有するように伸びる立設壁６９０ｂとを有している。
操作部材６１６を構成する本体６９０の第１の長手端縁６９２（この実施の形態においては、ファイル表紙等に固定された時のＡ面側の左側端縁）側は、固定部材６１２と嵌合される端縁側であって、第１の長手端縁６９２側には、本体６９０の長手方向に伸びるように、操作部材６１６を固定部材６１２の長手方向に案内する案内部が形成されている。
案内部は、固定部材６１２の第１の案内凸条６４４と嵌合される第１の案内凹条６９４と、固定部材６１２の第２の案内凸条６４６と嵌合される第２の案内凹条６９６と、固定部材４１２の第３の案内凸条６４８と嵌合される第３の案内凹条６９８と、固定部材４１２の第４の案内凸条６５０と嵌合される第４の案内凹条７００と、固定部材４１２の第５の案内凸条６５２と嵌合される第５の案内凹条７０２と、固定部材４１２の第６の案内凸条６５４と嵌合される第６の案内凹条７０４とを備え、更に該案内凹条の間に綴じ杆６１４のくし部６７２のくしの間隔に対応して第７の案内凹条７０５が連続して形成されている。
【０１０９】
第１の案内凹条６９４は、本体６９０を構成する立設壁６９０ｂの一部である第１壁６９４ａと、該第１壁６９４ａの上端より内側に向けて突設された水平の第２壁６９４ｂによって構成されている（図１１４参照）。
第２壁６９４ｂは、綴じ杆６１４のくし部６７２のくしの間隔に対応した長さと、被綴じ物載置面６２２と介在部６４４ａの上面との距離分の厚みを有し、その上面と被綴じ物載置面６２２とは略同一の高さになるように形成されている。
【０１１０】
第２の案内凹条６９６は、本体６９０を構成する立設壁６９０ｂの一部である第１壁６９６ａと、該第１壁６９６ａの上端より内側に向けて突設された水平の第２壁６９６ｂと、該第２壁６９６ｂの内側先端より下方に向けて垂下された垂直の第３壁６９６ｃとから構成されている（図１１５参照）。
第２壁６９６ｂは、綴じ杆６１４のくし部６７２のくしの間隔に対応した長さと、被綴じ物載置面６２２と嵌装部６４６ｂの上面との距離分の厚みを有し、その上面と被綴じ物載置面６２２とは略同一の高さになるように形成されている。
【０１１１】
第３の案内凹条６９８は、本体６９０を構成する立設壁６９０ｂの一部である第１壁６９８ａを備えている（図１１７参照）。この長手方向における長さは、綴じ杆６１４のくし部６７２のくしの間隔に対応した長さを有している。
【０１１２】
第４の案内凹条７００は、本体６９０を構成する立設壁６９０ｂの一部である第１壁７００ａと、本体６９０の上面において、前記第１壁７００ａと平行に上方に向けて突設された垂直の第２壁７００ｂから構成されている（図１１８参照）。この長手方向における長さは、綴じ杆６１４のくし部６７２のくしの間隔に対応した長さを有している。
【０１１３】
第５の案内凹条７０２は、本体６９０を構成する立設壁６９０ｂの一部である第１壁７０２ａと、該第１壁７０２ａの上端より内側方向に向けて突設された水平の第２壁７０２ｂとから構成されている（図１１９参照）。
第１壁７０２ｂは、綴じ杆６１４のくし部６７２のくしの間隔に対応した長さと被綴じ物載置面６２２と介在部６５２ａの上面との距離分の厚みを有し、その上面と被綴じ物載置面６２２とは略同一の高さになるように形成されている。
【０１１４】
第６の案内凹条７０４は、本体６９０を構成する立設壁６９０ｂの一部である第１壁７０４ａと、該第１壁７０４ａの上端より内側に向けて突設された水平の第２壁７０４ｂと、該第２壁７０４ｂの内側端より下方に向けて垂下された垂直の案内凸部７０４ｃとから構成されている（図１２１参照）。
第２壁７０４ｂは、綴じ杆６１４のくし部６７２のくしの間隔に対応した長さと被綴じ物載置面６２２と介在部６５４ａの上面との距離分の厚みを有し、その上面と被綴じ物載置面６２２とは略同一の高さになるように形成されている。
【０１１５】
操作部材６１６の第１の長手端縁６９２の長手方向において、向こう側端縁近傍および手前側端縁近傍に、綴じ杆６１４の手前側の係合くし部６７４及び向こう側の係合くし部６７５と係合する係止部７０６が形成されている。
係止部７０６は、操作部材６１６の手前側端縁近傍の第５の案内凹条７０２の第２壁７０２ｂに形成された第１係止部７０８および第２係止部７１０と、操作部材６１６の向こう側端縁近傍の第５の案内凹条７０２の第２壁７０２ｂに形成された第３係止部７１２および第４係止部７１４とにより構成されている。
第１係止部７０８は、第２壁７０２ｂにくちばし状凸部７０８ａが突き出し設けられ、第２係止部７１０は、第２壁７０２ｂにくちばし状凸部７１０ａが突き出し設けられ、第３係止部７１２は、第２壁７０２ｂにくちばし状凸部７１２ａが突き出し設けられ、第４係止部７１４は、第２壁７０２ｂにくちばし状凸部７１４ａが突き出し設けられている。
そして、くちばし状凸部７０８ａ、くちばし状凸部７１０ａ、くちばし状凸部７１２ａ及びくちばし状凸部７１４ａの先端より向こう側の外側には、綴じ杆６１４の手前側の係合くし部６７４及び向こう側の係合くし部６７５の先端を貫挿するための空所たるくし孔７２２が穿設されている。
くちばし状凸部７０８ａ、くちばし状凸部７１０ａ、くちばし状凸部７１２ａ及びくちばし状凸部７１４ａは、その基部が第２壁７０２ｂと略同一の厚みを備え、その先端部が細く尖っており、その上面は、手前側の係合くし部６７４及び向こう側の係合くし部６７５の下側平面部６８６ａと接合し、手前側の係合くし部６７４を案内するために先端に向かうに従って下がる斜面が形成され、その下面は、第２壁７０２ｂの下面と続いた平面状に形成され、綴じ杆６１４の手前側の係合くし部６７４及び向こう側の係合くし部６７５を構成する開口凹部の下側の平面と係合するように構成されている。
すなわち、綴じ杆６１４の手前側の係合くし部６７４及び向こう側の係合くし部６７５の係止部６８６を構成する開口凹部にくちばし状凸部７０８ａ、くちばし状凸部７１０ａ、くちばし状凸部７１２ａ及びくちばし状凸部７１４ａが嵌装され、それらの下面と綴じ杆６１４の手前側の係合くし部６７４及び向こう側の係合くし部６７５を構成する開口凹部の下側平面部６８６ａと係合し、綴じ杆６１４が操作部材６１６に係止され、綴じ杆の閉じた状態が維持される。
【０１１６】
第１係止部７０８の手前側の係合くし部６７４との係合長さＬ１（操作部材６１６の長手方向における長さ）及び第２係止部７１０の手前側の係合くし部６７４との係合長さＬ２（操作部材６１６の長手方向における長さ）と、第３係止部７１２の手前側の係合くし部６７４との係合長さＬ３（操作部材６１６の長手方向における長さ）及び第４係止部７１４の手前側の係合くし部６７４との係合長さＬ４（操作部材６１６の長手方向における長さ）とは異なる（図１２５図示）。
通常、手前側の係合くし部６７４の頂部を指で押して第１係止部７０８および第２係止部７１０と係止した後に、向こう側の係合くし部６７５の頂部を指で押して第３係止部７１２及び第４係止部７１４と係止させる。
ところが、手前側の係合くし部６７４を第１係止部７０８及び第２係止部７１０と係止した後に、向こう側の係合くし部６７５を第３係止部７１２及び第４係止部７１４と係止しようとすると、第１係止部７０８及び第２係止部７１０と第３係止部７１２及び第４係止部７１４の長さと同じであれば、一旦係止した係合くし部６７４が第１係止部７０８及び第２係止部７１０から脱係する。そこで、一旦係止した第１係止部７０８及び第２係止部７１０が脱係しないように、手前側の第１係止部７０８の係合長さＬ１及び第２係止部７１０の係合長さＬ２の方が第３係止部７１２及び第４係止部７１４を係止するときの移動する分以上に第３係止部７１２の係合長さＬ３及び第４係止部７１４の係合長さＬ４より長く構成している。くし部６７２間の間隔Ｌ５は等間隔であり、くし部６７２の太さ（操作部材６１６の長手方向における長さ）も均一である。
【０１１７】
操作部材６１６の第７の案内凹条７０５は、第１の案内凹条６９４と略同一断面形状を備え、全体が本体６９０の長手方向に伸びている（図１１４参照）。
そして、操作部材６１６は、第１の長手端縁６９２の長手方向において、綴じ杆６１４のくし部６７２を貫挿する平面方形の空所たるくし孔７２２が長手方向に一定の間隔をあけて、複数穿設されている（図１１６参照）。くし孔７２２は、綴じ杆６１４のくし部６７２のくしの間隔に対応して形成されており、第１の案内凹条６９４，第２の案内凹条６９６，第３の案内凹条６９８，第４の案内凹条７００，第５の案内凹条７０２及び第６の案内凹条７０４の向こう側に形成されるとともに、第１の案内凹条６９４，第２の案内凹条６９６，第３の案内凹条６９８，第４の案内凹条７００，第５の案内凹条７０２，第６の案内凹条７０４及び第７の案内凹条７０５の間にも一定の間隔をあけて連続して形成されている。
第６の案内凹条７０４には、固定部材６１２の第６の案内凸条６５４に穿設された案内凹部６５４ｃと嵌合する案内凸部７０４ｃが突設されている（図９８及び１２１参照）。
操作部材６１６の第１の長手端縁６９２には、第１係止部７０８の手前側の内側に弾性体係止部７１６が形成され、また、第４係止部７１４の向こう側の内側に、弾性体係止部７１８が形成されている（図９８及び１２０参照）。
操作部材６１６の手前側端縁（綴じ具をファイル表紙などに固定した場合のファイル表紙の下端縁側）には、操作部材６１６を操作する操作片７２０が形成されている。
この実施の形態においては、第１壁６９４ａ、第１壁６９６ａ、第１壁６９８ａ、第１壁７００ａ、第１壁７０２ａ及び第１壁７０４ａは、一連に続いた一枚の壁体（立設壁６９０ｂ）として形成され、外表面からは、綴じ杆６１４の係止部６８６及び操作部材６１６の係止部７０６が見えないように構成されている。
【０１１８】
固定部材６１２に装填された綴じ杆６１４の開閉（この実施の形態においては開くため）をするため、および固定部材６１２に装填された操作部材６１６の進退（この実施の形態においては退くため）をするための弾性体６１８は、図１２３及び図１２４において示すように、綴じ杆６１４の回転軸６８２に巻装される第１の弾性体７３０と、綴じ杆６１４の回転軸６８４に巻装される第２の弾性体７３２とから構成される。
第１の弾性体７３０は、右巻きばねで、コイル部７３０ａの一端より直線状の操作部材係止部７３０ｂが突き出し設けられ、且つコイル部７３０ａの他端より綴じ杆４１４に係止されるくし係止部７３０ｃが突き出し設けられている。
第２の弾性体７３２は、左巻きばねで、第２の弾性体７３２も第１の弾性体７３０と同様に、コイル部７３２ａの一端より操作部材係止部７３２ｂが突き出し設けられ、コイル部７３２ａの他端よりくし係止部７３２ｃが突き出し設けられている。
第１の弾性体７３０は、その回転ばね定数が比較的小さく、第２の弾性体７３２は、その回転ばね定数が比較的大きく、二つの弾性体の間において、第１の弾性体７３０は戻る力を弱く、第２の弾性体７３２は戻る力を強くなるように、差異を設けている。手前側の係合くし部６７４を第１係止部７０８及び第２係止部７１０と係止した後に、向こう側の係合くし部６７５を第３係止部７１２及び第４係止部７１４と係止しようとすると、第１の弾性体７３０と第２の弾性体７３２の戻る力が同じであれば、一旦係止した係合くし部６７４が第１係止部７０８及び第２係止部７１０から脱係する。そこで、一旦係止した第１係止部７０８及び第２係止部７１０が脱係しないように、第１の弾性体７３０の戻る力を弱くしている。
【０１１９】
綴じ杆６１４は、その両端の回転軸６８２および回転軸６８４を、弾性体６１８に貫挿し、すなわち、第１の弾性体７３０のコイル部７３０ａおよび第２の弾性体７３２のコイル部７３２ａの孔内に貫挿して、固定部材６１２の綴じ杆装填部６２８に装填する。回転軸６８２および回転軸６８４は、弾性体６１８を巻装した状態において、第１の弾性体７３０より手前側及び第２の弾性体７３２より向こう側にて固定部材６１２の回転軸装填部６３０および回転軸装填部６３２に嵌装する。
綴じ杆６１４の回転軸６８２は、回転軸装填部６３０の綴じ杆回動用凹部６３０ａに嵌装され且つ綴じ杆支持部６３０ｂにより支持されるとともに、回転軸６８４は、回転軸装填部６３２の綴じ杆回動用凹部６３２ａに嵌装され且つ綴じ杆支持部６３２ｂにより支持され、綴じ杆６１４は、綴じ杆回動用凹部６３０ａおよび綴じ杆回動用凹部６３２ａに収容された回転軸６８２および回転軸６８４を枢軸として回動するように、固定部材６１２に固定される。
【０１２０】
弾性体６１８は、そのくし係止部７３０ｃおよびくし係止部７３２ｃの折れ曲がった部位を、綴じ杆６１４のくし部６７２の基部６８０に、引っ掛けることにより係止される（図１１３及び１２０参照）。
而して、綴じ杆６１４は、弾性体６１８の弾性により綴じられる状態に付勢されて回転させられる。
【０１２１】
操作部材６１６は、図１１０ないし図１２２において示すように、固定部材６１２の第２の長手端縁６４０に形成された操作部材装填部６４２に、固定部材６１２の長手方向に摺動自在に固定される。
すなわち、固定部材６１２の案内部と操作部材６１６の案内部とが、摺動自在に嵌合ないし接合されている。
つまり、第１の案内凸条６４４と第１の案内凹条６９４とを、第２の案内凸条６４６と第２の案内凹条６９６とを、第３の案内凸条６４８と第２の案内凹条６９８とを、第４の案内凸条６５０と第４の案内凹条７００とを、第５の案内凸条６５２と第５の案内凹条７０２とを、第６の案内凸条６５４と第６の案内凹条７０４とを、第７の案内凸条６６２と第７の案内凹条７０５とをそれぞれ嵌合ないし接合させる。
【０１２２】
前記固定部材６１２の第１の案内凸条６４４は、操作部材６１６の第１の案内凹条６９４によって、囲繞されるように形成されている（図１１４参照）。
固定部材６１２の第１の案内凸条６４４を構成する、介在部６４４ａと該介在部６４４ａの先端に垂下された嵌装部６４４ｂとを、操作部材６１６の第１の案内凹条６９４を構成する本体６９０より上方に向けて突設された第１壁６９４ａと該第１壁６９４ａの上端より外方に向けて突設された第２壁６９４ｂとによって囲繞される空間内に摺動自在に収容される。そして、嵌装部６４４ｂの下端面と操作部材６１６の本体６９０の上面とが接合し、第２壁６９４ｂの下面と第１の案内凸条６４４の介在部６４４ａおよび嵌装部６４４ｂの上面とが接するように構成されている。
【０１２３】
前記固定部材６１２の第２の案内凸条６４６の案内凸条は、操作部材６１６の第２の案内凹条６９６によって、囲繞されるように形成されている（図１１５参照）。
そして、第２の案内凸条６４６の嵌装部６４６ｂと第２連結部６５６ｂとの間に形成された凹部内に第２の案内凹条６９６の第３壁６９６ｃが嵌合されるとともに、第２案内凸条６４６（嵌装部６４６ｂ）の上面と第２壁６９６ｂの下面とが当接し、第１壁６９６ａの内面と第２案内凸条６４６（嵌装部６４６ｂ）の外面とが接合し、第２案内凸条６４６（嵌装部６４６ｂ）の下面と操作部材６１６の本体６９０の上面とが接合するように構成されている。
【０１２４】
第３の案内凸条６４８は、第３の案内凹条６９８によって囲繞される（図１１７参照）。すなわち、第３の案内凸条６４８のＩ字型案内凸条（嵌装部６４８ｂ）の外側縁を第３の案内凹条６９８の第１壁６９８ａの内面に接合させるとともに、基礎壁６９０ａの内側面と固定部材６１２の本体６２４より垂設された嵌挿部６４８ｃの内側端面とが接合されている。
【０１２５】
第４の案内凸条６５０は、第４の案内凹条７００によって囲繞される（図１１８参照）。すなわち、前記第４の案内凸条６５０の外側面を、第４の案内凹条７００の第１壁７００ａの内面に接合するとともに、前記第４の案内凸条６５０の内面と第４の案内凹条７００の第２壁７００ｂの外側面とが接合するように構成されている。
【０１２６】
第５の案内凸条６５２は、第５の案内凹条７０２によって囲繞するように形成されている（図１１９参照）。すなわち、第５の案内凸条６５２の嵌装部６５２ｂの下面が第５の案内凹条７０２の本体６９０の上面と接合するとともに、嵌装部６５２ｂの上面と第２壁７０２ｂの下面とが接合するように構成されている。
【０１２７】
第６の案内凸条６５４は、第６の案内凹条７０４によって囲繞するように形成されている（図１２１参照）。そして、第６の案内凹条７０４の第２壁７０４ｂの下面と第６の案内凸条６５４の嵌装部６５４ｂの上面とが接合し、操作部材６１６の案内凸部７０４ｃが第６の案内凸条６５４の第６連結部６５６ｆと嵌装部６５４ｂとの間に形成された案内凹部６５４ｃに嵌装するように構成されている。
【０１２８】
第７の案内凸条６６２は、第７の案内凹条７０５によって囲繞されるように形成され、その構成は、第１の案内凸条６４４が第１の案内凹条６９４によって囲繞されるように構成されているのと同様である。
【０１２９】
操作部材６１６は、弾性体６１８の弾性力によって進退自在となるように付勢されている。
すなわち、第１の弾性体７３０の操作部材係止部７３０ｂと第２の弾性体の操作部材係止部７３２ｂとは、操作部材６１６の弾性体係止部７１６および弾性体係止部７１８に係止され、操作部材６１６は、その手前側端から向こう側端に向けて、すなわち操作片７２０側から長手方向の反対側の端縁側に向けて付勢されている。
【０１３０】
次にこの綴じ具６１０の使用方法について説明する。
操作部材６１６の操作片７２０を指で手前に、すなわち固定部材６１２より離れる方向に向けて引くと、綴じ杆６１４のくし部６７２の係止部６８６は、操作部材６１６の係止部７０６との係止が解除され、綴じ杆６１４は、弾性体６１８の弾性により開く。
被綴じ物Ｙを綴じ具６１０に綴じるときは、まず、固定部材６１２のくし部６３８に被綴じ物Ｙの左端縁に穿設された第１綴じ孔Ｙ１及び第２綴じ孔Ｙ２を貫挿し、ファイル表紙のＢ面の裏面（内側面）に被綴じ物Ｙを載置する。
次に、開いている綴じ杆６１４を閉じる方向に回転させると、くし部６７２を構成する案内くし部６７６は、固定部材６１２のくし部６３８と突き合わされ、通常くし部６７８は、固定部材６１２の上面に形成されたくし孔６５８に貫挿される。
通常の使用方法としては、まず、くし部６７２を構成する手前側の係合くし部６７４は、操作部材６１６のくし孔７２２に貫挿され、弾性体６１８の弾性により元の位置に戻った操作部材６１６の係止部７０６と係止される。次に、向こう側の係合くし部６７５は、操作部材６１６のくし孔７２２に貫挿され、弾性体６１８の弾性により元の位置に戻った操作部材６１６の係止部７０６と係止される。
すなわち、第１係止部７０８のくちばし状凸部７０８ａ、第２係止部７１０のくちばし状凸部７１０ａ、第３係止部７１２のくちばし状凸部７１２ａおよび第４係止部７１４のくちばし状凸部７１４ａと、手前側の係合くし部６７４の係止部６８６及び向こう側の係合くし部６７５の係止部６８６とが係合し、綴じ杆６１４は閉じられた状態で保持される。
【０１３１】
綴じ杆６１４のくし部６７２を構成する通常くし部６７８と手前側の係合くし部６７４及び向こう側の係合くし部６７５とは略同一形状に形成され、その先端部（すなわち自由端）と回転軸６８２と回転軸６８４とを結ぶ線との距離は比較的短く、くし部６７２の先端は、案内くし部６７６を除いて固定部材６１２の被綴じ物載置面６２２より僅かに下位で、操作部材６１６の最上面近傍に形成された第１係止部７０８、第２係止部７１０、第３係止部７１２および第４係止部７１４の下面の係止部位より下部に至る長さを有する。
このように、この綴じ杆６１４のくし部６７２は、回転軸６８２と回転軸６８４とを結ぶ線とくし部６７２の先端との距離が比較的短いので、綴じ杆６１４の回転半径が短くなる。そのために、くし部６７２の先端は、綴じ具６１０に綴じられる被綴じ物Ｙの綴じ孔に突き当たることはなく、綴じ杆６１４の開閉がしやすい。
【図面の簡単な説明】
【図１】この発明の一実施の形態である綴じ具の斜視図解図である。
【図２】図１図示の綴じ具の開いた状態の正面図である。
【図３】図１図示の綴じ具の開いた状態の平面図である。
【図４】固定部材の正面図である。
【図５】固定部材の右側面図である。
【図６】固定部材の背面図である。
【図７】固定部材の左側面図である。
【図８】操作部材の正面図である。
【図９】操作部材の右側面図である。
【図１０】操作部材の背面図である。
【図１１】操作部材の左側面図である。
【図１２】図１１図示のＡ−Ａ断面図およびＢ−Ｂ断面図である。
【図１３】綴じ杆の正面図である。
【図１４】綴じ杆の右側面図である。
【図１５】綴じ杆の背面図である。
【図１６】綴じ杆の左側面図である。
【図１７】綴じ杆を示す図で、（Ａ）は図１５図示のＣ−Ｃ断面図であり、（Ｂ）は右側面図である。
【図１８】綴じ杆を示す図で、図１５のＬ部詳細図である。
【図１９】綴じ杆を示す図で、図１５のＭ部詳細図である。
【図２０】固定部材と操作部材とを組み合わせた状態の正面図である。
【図２１】固定部材と操作部材とを組み合わせた状態の右側面図である。
【図２２】固定部材と操作部材とを組み合わせた状態の背面図である。
【図２３】固定部材と操作部材とを組み合わせた状態の左側面図である。
【図２４】図２２図示のＤ−Ｄ断面図である。
【図２５】図２２図示のＥ−Ｅ断面図である。
【図２６】図２２図示のＦ−Ｆ断面図である。
【図２７】図２２図示のＧ−Ｇ断面図である。
【図２８】図２２図示のＨ−Ｈ断面図である。
【図２９】図２２図示のＪ−Ｊ断面図である。
【図３０】図２２図示のＫ−Ｋ断面図である。
【図３１】図２２図示のＬ−Ｌ断面図である。
【図３２】固定部材と操作部材とを組み合わせた状態の底面図である。
【図３３】綴じ杆と操作部材との係止状態を示す断面図解図である。
【図３４】弾性体を示す図であり、（Ａ）は第１の弾性体の正面図であり、（Ｂ）は第１の弾性体の底面図である。
【図３５】弾性体を示す図であり、（Ａ）は第２の弾性体の正面図であり、（Ｂ）は第２の弾性体の底面図である。
【図３６】綴じ具の利用方法を示す正面図解図である。
【図３７】この発明の一実施の形態である綴じ具の斜視図解図である。
【図３８】図３７図示の綴じ具の開いた状態の正面図である。
【図３９】図３７図示の綴じ具の開いた状態の平面図である。
【図４０】固定部材の正面図である。
【図４１】固定部材の右側面図である。
【図４２】固定部材の背面図である。
【図４３】固定部材の左側面図である。
【図４４】操作部材の正面図である。
【図４５】操作部材の右側面図である。
【図４６】操作部材の背面図である。
【図４７】操作部材の左側面図である。
【図４８】図４５図示のＡ−Ａ断面図およびＢ−Ｂ断面図である。
【図４９】綴じ杆の正面図である。
【図５０】綴じ杆の右側面図である。
【図５１】綴じ杆の背面図である。
【図５２】綴じ杆の左側面図である。
【図５３】綴じ杆を示す図で、（Ａ）は図５１図示のＣ−Ｃ断面図であり、（Ｂ）は右側面図である。
【図５４】綴じ杆を示す図で、図５１のＬ部詳細図である。
【図５５】綴じ杆を示す図で、図５１のＭ部詳細図である。
【図５６】固定部材と操作部材とを組み合わせた状態の正面図である。
【図５７】固定部材と操作部材とを組み合わせた状態の右側面図である。
【図５８】固定部材と操作部材とを組み合わせた状態の背面図である。
【図５９】固定部材と操作部材とを組み合わせた状態の左側面図である。
【図６０】図５８図示のＤ−Ｄ断面図である。
【図６１】図５８図示のＥ−Ｅ断面図である。
【図６２】図５８図示のＦ−Ｆ断面図である。
【図６３】図５８図示のＧ−Ｇ断面図である。
【図６４】図５８図示のＨ−Ｈ断面図である。
【図６５】図５８図示のＪ−Ｊ断面図である。
【図６６】図５８図示のＫ−Ｋ断面図である。
【図６７】固定部材と操作部材とを組み合わせた状態の底面図である。
【図６８】綴じ杆と操作部材との係止状態を示す側面図解図である。
【図６９】弾性体を示す図であり、（Ａ）は第１の弾性体の正面図であり、（Ｂ）は第１の弾性体の底面図である。
【図７０】弾性体を示す図であり、（Ａ）は第２の弾性体の正面図であり、（Ｂ）は第２の弾性体の底面図である。
【図７１】綴じ具の利用方法を示す正面図解図である。
【図７２】この発明の一実施の形態である綴じ具の開いた状態の正面図である。
【図７３】この発明の一実施の形態である綴じ具の開いた状態の平面図である。
【図７４】この発明の一実施の形態である綴じ具の閉じた状態の正面図である。
【図７５】固定部材の正面図である。
【図７６】固定部材の右側面図である。
【図７７】固定部材の背面図である。
【図７８】固定部材の左側面図である。
【図７９】固定部材の底面図である。
【図８０】操作部材の正面図である。
【図８１】操作部材の右側面図である。
【図８２】操作部材の背面図である。
【図８３】操作部材の底面図である。
【図８４】綴じ杆の正面図である。
【図８５】綴じ杆の右側面図である。
【図８６】綴じ杆の背面図である。
【図８７】綴じ杆の左側面図である。
【図８８】図７４図示のＡ−Ａ断面図である。
【図８９】図７４図示のＢ−Ｂ断面図である。
【図９０】図７４図示のＣ−Ｃ断面図である。
【図９１】この発明の別の実施の形態である綴じ具の斜視図解図である。
【図９２】図９１図示の綴じ具の開いた状態の正面図である。
【図９３】図９１図示の綴じ具の開いた状態の平面図である。
【図９４】固定部材の正面図である。
【図９５】固定部材の右側面図である。
【図９６】固定部材の背面図である。
【図９７】固定部材の左側面図である。
【図９８】操作部材の正面図である。
【図９９】操作部材の右側面図である。
【図１００】操作部材の背面図である。
【図１０１】操作部材の左側面図である。
【図１０２】図１０１図示のＡ−Ａ断面図およびＢ−Ｂ断面図である。
【図１０３】綴じ杆の正面図である。
【図１０４】綴じ杆の右側面図である。
【図１０５】綴じ杆の背面図である。
【図１０６】綴じ杆の左側面図である。
【図１０７】綴じ杆を示す図で、（Ａ）は図１０５図示のＢ−Ｂ断面図であり、（Ｂ）は図１０５図示のＤ−Ｄ断面図であり、（Ｃ）は図１０５図示のＮ−Ｎ断面図である。
【図１０８】綴じ杆を示す図で、（Ａ）は向こう側の係合くし部であり、（Ｂ）は手前側の係合くし部である。
【図１０９】綴じ杆を示す図で、（Ａ）は図１０５のＬ部詳細図であり、（Ｂ）は図１０５のＭ部詳細図である。
【図１１０】固定部材と操作部材とを組み合わせた状態の正面図である。
【図１１１】固定部材と操作部材とを組み合わせた状態の右側面図である。
【図１１２】固定部材と操作部材とを組み合わせた状態の背面図である。
【図１１３】固定部材と操作部材とを組み合わせた状態の左側面図である。
【図１１４】図１１２図示のＤ−Ｄ断面図である。
【図１１５】図１１２図示のＥ−Ｅ断面図である。
【図１１６】図１１２図示のＦ−Ｆ断面図である。
【図１１７】図１１２図示のＧ−Ｇ断面図である。
【図１１８】図１１２図示のＨ−Ｈ断面図である。
【図１１９】図１１２図示のＪ−Ｊ断面図である。
【図１２０】図１１２図示のＫ−Ｋ断面図である。
【図１２１】図１１２図示のＬ−Ｌ断面図である。
【図１２２】固定部材と操作部材とを組み合わせた状態の底面図である。
【図１２３】弾性体を示す図であり、（Ａ）は第１の弾性体の正面図であり、（Ｂ）は第１の弾性体の底面図である。
【図１２４】弾性体を示す図であり、（Ａ）は第２の弾性体の正面図であり、（Ｂ）は第２の弾性体の底面図である。
【図１２５】綴じ杆と操作部材との係止状態を示す断面図解図である。
【図１２６】綴じ具の利用状態を示す断面図解図である。
【図１２７】綴じ具の利用状態を示す正面図解図である。
【図１２８】綴じ具の利用方法を示す正面図解図である。
【符号の説明】
Ｌ１  第１係止部の手前側の係合くし部との係合長さ
Ｌ２  第２係止部の手前側の係合くし部との係合長さ
Ｌ３  第３係止部の手前側の係合くし部との係合長さ
Ｌ４  第４係止部の手前側の係合くし部との係合長さ
Ｌ５  くし部間の間隔
Ｈ１  第１垂直平面壁の高さ
Ｗ１  逆鉤（かえり）の高さ
Ｘ  被固定物
Ｙ  被綴じ物
Ｙ１  第１綴じ孔
Ｙ２  第２綴じ孔
１０，２１０，４１０，６１０  綴じ具
１２，２１２，４１２，６１２  固定部材
１４，２１４，４１４，６１４  綴じ杆
１６，２１６，４１６，６１６  操作部材
１８，２１８，４１８，６１８  弾性体
２０，２２０，６２０  固定面
２２，２２２，４２２，６２２  被綴じ物載置面
２４，２２４，４２４，６２４  本体
２４ａ，２２４ａ，６２４ａ  取付孔
２６，２２６，６２６  第１の長手端縁
２８，２２８，６２８  綴じ杆装填部
３０，２３０，６３０  綴じ杆の回転軸装填部
３０ａ，２３０ａ，６３０ａ  綴じ杆回動用凹部
３０ｂ，２３０ｂ  綴じ杆支持凸起
３２，２３２，６３２  綴じ杆の回転軸装填部
３２ａ，２３２ａ，６３２ａ  綴じ杆回動用凹部
３２ｂ，２３２ｂ  綴じ杆支持凸起
３６，２３６  綴じ杆支持体
３６ａ，２３６ａ，６３６ａ  綴じ杆回動用凹部
３６ｂ，２３６ｂ  綴じ杆支持凸起
３８，２３８，６３８  くし部
４０，２４０，６４０  第２の長手端縁
４２，２４２，６４２  操作部材装填部
４４，６４４  第１の案内凸条
４４ａ，６４４ａ  介在部
４４ｂ，６４４ｂ  嵌装部
４６，６４６  第２の案内凸条
４６ａ，６４６ａ  介在部
４６ｂ，６４６ｂ  嵌装部
４８，６４８  第３の案内凸条
４８ｂ，６４８ｂ  嵌装部
４８ｃ，６４８ｃ  嵌装部
５０，６５０  第４の案内凸条
５０ｂ，６５０ｂ  嵌装部
５２，６５２  第５の案内凸条
５２ａ，６５２ａ  介在部
５２ｂ，６５２ｂ  嵌装部
５４，６５４  第６の案内凸条
５４ａ，６５４ａ  介在部
５４ｂ，６５４ｂ  嵌装部
５４ｃ，６５４ｃ  案内凹部
５６ａ，６５６ａ  第１連結部
５６ｂ，６５６ｂ  第２連結部
５６ｃ，６５６ｃ  第３連結部
５６ｄ，６５６ｄ  第４連結部
５６ｅ，６５６ｅ  第５連結部
５６ｆ，６５６ｆ  第６連結部
５８，２５８，４５８，６５８  くし孔
６０，２６０，６６０  操作片装填部
６２，６６２  第７の案内凸条
７０，２７０，６７０  くし部連結体
７２，２７２，６７２  くし部
７４，２７４，４７４  係合くし部
７６，２７６，６７６  案内くし部
７８，２７８，６７８  通常くし部
８０，２８０，６８０  基部
８２，２８２，６８２  回転軸
８４，２８４，６８４  回転軸
８６，２８６，６８６  係止部
８６ａ，２８６ａ，６８６ａ  下側平面部
８６ｂ，２８６ｂ，６８６ｂ  上側平面部
９０，２９０，６９０  本体
９０ａ，６９０ａ  基礎壁
９０ｂ，６９０ｂ  立設壁
９２，２９２，６９２  第１の長手端縁
９４，６９４  第１の案内凹条
９４ａ，６９４ａ  第１壁
９４ｂ，６９４ｂ  第２壁
９６，６９６第２の案内凹条
９６ａ，６９６ａ  第１壁
９６ｂ，６９６ｂ  第２壁
９６ｃ，６９６ｃ  第３壁
９８，６９８  第３の案内凹条
９８ａ，６９８ａ  第１壁
１００，７００  第４の案内凹条
１００ａ，７００ａ  第１壁
１００ｂ，７００ｂ  第２壁
１０２，７０２  第５の案内凹条
１０２ａ，７０２ａ  第１壁
１０２ｂ，７０２ｂ  第２壁
１０４，７０４  第６の案内凹条
１０４ａ，７０４ａ  第１壁
１０４ｂ，７０４ｂ  第２壁
１０４ｃ，７０４ｃ  操作部材の案内凸部
１０５，７０５  第７の案内凹条
１０６，３０６，５０６，７０６  係止部
１０８，３０８，７０８  第１係止部
１０８ａ，３０８ａ，５０８ａ，７０８ａ  くちばし状凸部
１１０，３１０，７１０  第２係止部
１１０ａ，３１０ａ，７１０ａ  くちばし状凸部
１１２，３１２，７１２  第３係止部
１１２ａ，３１２ａ，７１２ａ  くちばし状凸部
１１４，３１４，７１４  第４係止部
１１４ａ，３１４ａ，７１４ａ  くちばし状凸部
１１６，３１６，７１６  操作部材の弾性体係止部
１１８，３１８，７１８  操作部材の弾性体係止部
１２０，３２０，７２０  操作部材の操作片
１２２，３２２，７２２  操作部材のくし孔
１３０，３３０，７３０  第１の弾性体
１３０ａ，３３０ａ，７３０ａ  第１の弾性体のコイル部
１３０ｂ，３３０ｂ，７３０ｂ  第１の弾性体の操作部材係止部
１３０ｃ，３３０ｃ，７３０ｃ  第１の弾性体のくし係止部
１３２，３３２，７３２  第２の弾性体
１３２ａ，３３２ａ，７３２ａ  第２の弾性体のコイル部
１３２ｂ，３３２ｂ，７３２ｂ  第２の弾性体の操作部材係止部
１３２ｃ，３３２ｃ，７３２ｃ  第２の弾性体のくし係止部
２４４  第１の案内部
２４４ａ  第１の案内凸条
２４４ｂ  嵌装部
２４６  第２の案内部
２４６ａ  第２の案内凸条
２４６ｂ  嵌装部
２４８  第３の案内部
２４８ａ  第３の案内凸条
２４８ｂ  取付孔壁
２４８ｃ  装填部
２５０  第４の案内部
２５０ａ  第４の案内凸条
２５０ｂ  装填部
２５２  第５の案内部
２５２ａ  第５の案内凸条
２５２ｂ  装填部
２５４  第６の案内部
２５４ａ  第６の案内凸条
２５４ｂ  装填部
２５６ｄ  第４連結部
２５６ｆ  第６連結部
２９４  第１の案内部
２９６  第２の案内部
２９８  第３の案内部
２９８ａ  凸部
３００  第４の案内部
３００ａ  第１壁
３００ｂ  第２壁
３０２  第５の案内部
３０４  第６の案内部
３０４ａ  凸部
４４４  案内部
４９４  案内部
６３０ｂ  綴じ杆支持部
６３２ｂ  綴じ杆支持部
６３６  第１綴じ杆支持体
６３６ｂ  綴じ杆支持部
６３７  第２綴じ杆支持体
６３７ａ  綴じ杆回動用凹部
６３７ｂ  綴じ杆支持凸起
６３８ａ  第１垂直平面壁
６３８ｂ  逆鉤（かえり）
６３８ｃ  第２垂直平面壁
６７０ａ  突起
６７４  手前側の係合くし部
６７５  向こう側の係合くし部
【図１】
2005066855.tif 000003
【図２】
2005066855.tif 000004
【図３】
2005066855.tif 000005
【図４】
2005066855.tif 000006
【図５】
2005066855.tif 000007
【図６】
2005066855.tif 000008
【図７】
2005066855.tif 000009
【図８】
2005066855.tif 000010
【図９】
2005066855.tif 000011
【図１０】
2005066855.tif 000012
【図１１】
2005066855.tif 000013
【図１２】
2005066855.tif 000014
【図１３】
2005066855.tif 000015
【図１４】
2005066855.tif 000016
【図１５】
2005066855.tif 000017
【図１６】
2005066855.tif 000018
【図１７】
2005066855.tif 000019
【図１８】
2005066855.tif 000020
【図１９】
2005066855.tif 000021
【図２０】
2005066855.tif 000022
【図２１】
2005066855.tif 000023
【図２２】
2005066855.tif 000024
【図２３】
2005066855.tif 000025
【図２４】
2005066855.tif 000026
【図２５】
2005066855.tif 000027
【図２６】
2005066855.tif 000028
【図２７】
2005066855.tif 000029
【図２８】
2005066855.tif 000030
【図２９】
2005066855.tif 000031
【図３０】
2005066855.tif 000032
【図３１】
2005066855.tif 000033
【図３２】
2005066855.tif 000034
【図３３】
2005066855.tif 000035
【図３４】
2005066855.tif 000036
【図３５】
2005066855.tif 000037
【図３６】
2005066855.tif 000038
【図３７】
2005066855.tif 000039
【図３８】
2005066855.tif 000040
【図３９】
2005066855.tif 000041
【図４０】
2005066855.tif 000042
【図４１】
2005066855.tif 000043
【図４２】
2005066855.tif 000044
【図４３】
2005066855.tif 000045
【図４４】
2005066855.tif 000046
【図４５】
2005066855.tif 000047
【図４６】
2005066855.tif 000048
【図４７】
2005066855.tif 000049
【図４８】
2005066855.tif 000050
【図４９】
2005066855.tif 000051
【図５０】
2005066855.tif 000052
【図５１】
2005066855.tif 000053
【図５２】
2005066855.tif 000054
【図５３】
2005066855.tif 000055
【図５４】
2005066855.tif 000056
【図５５】
2005066855.tif 000057
【図５６】
2005066855.tif 000058
【図５７】
2005066855.tif 000059
【図５８】
2005066855.tif 000060
【図５９】
2005066855.tif 000061
【図６０】
2005066855.tif 000062
【図６１】
2005066855.tif 000063
【図６２】
2005066855.tif 000064
【図６３】
2005066855.tif 000065
【図６４】
2005066855.tif 000066
【図６５】
2005066855.tif 000067
【図６６】
2005066855.tif 000068
【図６７】
2005066855.tif 000069
【図６８】
2005066855.tif 000070
【図６９】
2005066855.tif 000071
【図７０】
2005066855.tif 000072
【図７１】
2005066855.tif 000073
【図７２】
2005066855.tif 000074
【図７３】
2005066855.tif 000075
【図７４】
2005066855.tif 000076
【図７５】
2005066855.tif 000077
【図７６】
2005066855.tif 000078
【図７７】
2005066855.tif 000079
【図７８】
2005066855.tif 000080
【図７９】
2005066855.tif 000081
【図８０】
2005066855.tif 000082
【図８１】
2005066855.tif 000083
【図８２】
2005066855.tif 000084
【図８３】
2005066855.tif 000085
【図８４】
2005066855.tif 000086
【図８５】
2005066855.tif 000087
【図８６】
2005066855.tif 000088
【図８７】
2005066855.tif 000089
【図８８】
2005066855.tif 000090
【図８９】
2005066855.tif 000091
【図９０】
2005066855.tif 000092
【図９１】
2005066855.tif 000093
【図９２】
2005066855.tif 000094
【図９３】
2005066855.tif 000095
【図９４】
2005066855.tif 000096
【図９５】
2005066855.tif 000097
【図９６】
2005066855.tif 000098
【図９７】
2005066855.tif 000099
【図９８】
2005066855.tif 000100
【図９９】
2005066855.tif 000101
【図１００】
2005066855.tif 000102
【図１０１】
2005066855.tif 000103
【図１０２】
2005066855.tif 000104
【図１０３】
2005066855.tif 000105
【図１０４】
2005066855.tif 000106
【図１０５】
2005066855.tif 000107
【図１０６】
2005066855.tif 000108
【図１０７】
2005066855.tif 000109
【図１０８】
2005066855.tif 000110
【図１０９】
2005066855.tif 000111
【図１１０】
2005066855.tif 000112
【図１１１】
2005066855.tif 000113
【図１１２】
2005066855.tif 000114
【図１１３】
2005066855.tif 000115
【図１１４】
2005066855.tif 000116
【図１１５】
2005066855.tif 000117
【図１１６】
2005066855.tif 000118
【図１１７】
2005066855.tif 000119
【図１１８】
2005066855.tif 000120
【図１１９】
2005066855.tif 000121
【図１２０】
2005066855.tif 000122
【図１２１】
2005066855.tif 000123
【図１２２】
2005066855.tif 000124
【図１２３】
2005066855.tif 000125
【図１２４】
2005066855.tif 000126
【図１２５】
2005066855.tif 000127
【図１２６】
2005066855.tif 000128
【図１２７】
2005066855.tif 000129
【図１２８】
2005066855.tif 000130